(57)【要約】【課題】冷却性能に優れ、かつ、小型で静粛性に優れた冷却装置を備えるプロジェクターを提供する。【解決手段】本発明のプロジェクターの一つの態様は、光を射出する光源装置と、光源装置からの光を変調する光変調装置と、光変調装置により変調された光を投射する投射光学装置と、冷媒が気体へ変化することで冷却対象を冷却する冷却装置と、を備え、冷却装置は、冷媒を生成する冷媒生成部と、生成された冷媒を冷却対象に向けて伝送する冷媒伝送部と、を有し、冷媒生成部は、吸放湿部材と、プロジェクターの外部の空気を吸放湿部材に送る第１送風装置と、冷媒伝送部に接続された熱交換部と、吸放湿部材を加熱する加熱部と、吸放湿部材における加熱部によって加熱された部分の周囲の空気を熱交換部に送る第２送風装置と、を有し、熱交換部は、冷却されることで熱交換部に流入した空気から冷媒を生成し、吸放湿部材は、固定されていることを特徴とする。【選択図】図３
2019117263.tif 000002
【特許請求の範囲】
【請求項１】
冷却対象を備えるプロジェクターであって、
光を射出する光源装置と、
前記光源装置からの光を画像信号に応じて変調する光変調装置と、
前記光変調装置により変調された光を投射する投射光学装置と、
冷媒が気体へ変化することで前記冷却対象を冷却する冷却装置と、
を備え、
前記冷却装置は、
前記冷媒を生成する冷媒生成部と、
生成された前記冷媒を前記冷却対象に向けて伝送する冷媒伝送部と、
を有し、
前記冷媒生成部は、
吸放湿部材と、
前記プロジェクターの外部の空気を前記吸放湿部材に送る第１送風装置と、
前記冷媒伝送部に接続された熱交換部と、
前記吸放湿部材を加熱する加熱部と、
前記吸放湿部材における前記加熱部によって加熱された部分の周囲の空気を前記熱交換部に送る第２送風装置と、
を有し、
前記熱交換部は、冷却されることで前記熱交換部に流入した空気から前記冷媒を生成し、
前記吸放湿部材は、固定されていることを特徴とするプロジェクター。
【請求項２】
前記吸放湿部材は、第１方向に空気が流通可能な第１層と、前記第１方向と交差する第２方向に空気が流通可能な第２層と、が積層されて構成され、
前記第１送風装置は、前記第１方向に沿って前記第１層に空気を通過させ、
前記第２送風装置は、前記第２方向に沿って前記第２層に空気を通過させて前記熱交換部に送る、請求項１に記載のプロジェクター。
【請求項３】
前記第１層と前記第２層とは、それぞれ複数ずつ設けられ、
前記吸放湿部材は、前記第１層と前記第２層とが交互に積層されて構成されている、請求項２に記載のプロジェクター。
【請求項４】
前記熱交換部は、前記第１送風装置から放出され、前記第１層を通過した空気によって冷却される、請求項２または３に記載のプロジェクター。
【請求項５】
前記冷媒生成部は、
内部に前記吸放湿部材が固定された吸放湿流路部と、
前記吸放湿流路部に繋がる第１開口を有する第１流路部と、
前記吸放湿流路部に繋がる第２開口を有する第２流路部と、
切り換え可能に前記第１開口と前記第２開口とのうちの一方を閉塞する流路切換部と、
をさらに有し、
前記第１送風装置は、前記第１流路部の内部を介して前記第１開口に向けて空気を送り、
前記第２送風装置は、前記第２流路部の内部を介して前記第２開口に向けて空気を送り、
前記流路切換部によって前記第２開口が閉塞され前記第１開口が開放されている場合、前記第１送風装置から送られた空気は、前記第１開口から前記吸放湿流路部に流入して前記吸放湿部材を通過し、
前記流路切換部によって前記第１開口が閉塞され前記第２開口が開放されている場合、前記第２送風装置から送られた空気は、前記第２開口から前記吸放湿流路部に流入して前記吸放湿部材を通過し、前記熱交換部に流入する、請求項１に記載のプロジェクター。
【請求項６】
前記流路切換部は、前記第１送風装置から前記第１開口に向けて送られる空気の流量と前記第２送風装置から前記第２開口に向けて送られる空気の流量とに基づいて、前記第１開口および前記第２開口の閉塞を切り換える、請求項５に記載のプロジェクター。
【請求項７】
前記流路切換部は、前記第１送風装置から前記第１開口に向けて送られる空気の流量が前記第２送風装置から前記第２開口に向けて送られる空気の流量よりも大きい場合に、前記第２開口を閉塞し、
前記流路切換部は、前記第２送風装置から前記第２開口に向けて送られる空気の流量が前記第１送風装置から前記第１開口に向けて送られる空気の流量よりも大きい場合に、前記第１開口を閉塞する、請求項６に記載のプロジェクター。
【請求項８】
前記流路切換部によって前記第２開口が閉塞され前記第１開口が開放されている場合、前記第１送風装置から送られた空気は、前記吸放湿部材を通過し、前記冷却対象に送られる、請求項５から７のいずれか一項に記載のプロジェクター。
【請求項９】
前記第１送風装置と前記第２送風装置とは、記第１送風装置から放出される空気の流量と前記第２送風装置から放出される空気の流量との合計が一定になるように制御される、請求項５から８のいずれか一項に記載のプロジェクター。
【請求項１０】
前記冷媒生成部は、前記熱交換部を冷却する第３送風装置をさらに有する、請求項５から９のいずれか一項に記載のプロジェクター。
【請求項１１】
前記第３送風装置は、前記流路切換部の切り換えに基づいて制御される、請求項１０に記載のプロジェクター。
【請求項１２】
前記第２送風装置は、前記吸放湿部材に空気を通過させて前記熱交換部に送り、
前記加熱部は、
前記吸放湿部材を通過する前の空気を加熱する加熱本体部と、
前記第２送風装置と、
を有する、請求項１から１１のいずれか一項に記載のプロジェクター。
【請求項１３】
前記冷媒生成部は、前記第２送風装置から放出された空気が循環する循環経路を有し、
前記循環経路は、前記吸放湿部材と前記熱交換部とを通る、請求項１から１２のいずれか一項に記載のプロジェクター。
【発明の詳細な説明】
【技術分野】
【０００１】
本発明は、プロジェクターに関する。
【背景技術】
【０００２】
プロジェクターを冷却する手段として、送風装置を用いた空冷による冷却手段（例えば、特許文献１参照）、および冷媒液を送るポンプと冷媒液を通す配管とを用いた液冷による冷却手段（例えば、特許文献２参照）等が提案されている。
【先行技術文献】
【特許文献】
【０００３】
【特許文献１】特開２００２−１０７６９８号公報
【特許文献２】特開２００７−２９４６５５号公報
【発明の概要】
【発明が解決しようとする課題】
【０００４】
近年、プロジェクターの高輝度化等に伴って、冷却手段によって冷却される冷却対象の熱量が増加しており、冷却手段による冷却性能の向上が求められている。しかし、上述した空冷および液冷等の冷却手段において冷却性能を向上させる場合、冷却手段が大型化し、プロジェクターが大型化する問題がある。また、空冷の場合には、送風装置による騒音が増大する問題もある。
【０００５】
本発明は、上記事情に鑑みて、冷却性能に優れ、かつ、小型で静粛性に優れた冷却装置を備えるプロジェクターを提供することを目的の一つとする。
【課題を解決するための手段】
【０００６】
本発明のプロジェクターの一つの態様は、冷却対象を備えるプロジェクターであって、光を射出する光源装置と、前記光源装置からの光を画像信号に応じて変調する光変調装置と、前記光変調装置により変調された光を投射する投射光学装置と、冷媒が気体へ変化することで前記冷却対象を冷却する冷却装置と、を備え、前記冷却装置は、前記冷媒を生成する冷媒生成部と、生成された前記冷媒を前記冷却対象に向けて伝送する冷媒伝送部と、を有し、前記冷媒生成部は、吸放湿部材と、前記プロジェクターの外部の空気を前記吸放湿部材に送る第１送風装置と、前記冷媒伝送部に接続された熱交換部と、前記吸放湿部材を加熱する加熱部と、前記吸放湿部材における前記加熱部によって加熱された部分の周囲の空気を前記熱交換部に送る第２送風装置と、を有し、前記熱交換部は、冷却されることで前記熱交換部に流入した空気から前記冷媒を生成し、前記吸放湿部材は、固定されていることを特徴とする。
【０００７】
本発明のプロジェクターの一つの態様によれば、冷却装置は、冷媒生成部で生成した冷媒を冷媒伝送部によって冷却対象へと伝送し、吸熱反応である冷媒の気体への変化を利用することで冷却対象から熱を奪って冷却対象を冷却することができる。冷媒の気体への変化による冷却は、積極的に冷却対象から熱を奪えるため、空冷および液冷のように単に冷媒への伝熱によって冷却対象を冷却する場合に比べて、冷却性能に優れている。これにより、空冷および液冷と同じ冷却性能を得る場合に、空冷および液冷に比べて冷却装置全体を小型化しやすい。
【０００８】
また、冷媒の気体への変化による冷却の場合、気体へ変化する冷媒が冷却対象と接触する表面積を大きくすることで冷却性能を向上できる。そのため、冷却装置による冷却性能を大きくしても、騒音が大きくなることを抑制できる。以上により、本発明のプロジェクターの一つの態様によれば、冷却性能に優れ、かつ、小型で静粛性に優れた冷却装置を備えたプロジェクターが得られる。
【０００９】
また、本発明のプロジェクターの一つの態様によれば、冷媒生成部において冷媒を生成できるため、使用者が冷媒を補充する手間がなく、使用者の利便性を向上できる。また、冷媒生成部によって、冷媒を必要なときに必要な分だけ生成することが調整可能であるため、貯蔵タンク等に冷媒を溜めておく必要がなく、プロジェクターの重量を軽くできる。
【００１０】
また、本発明のプロジェクターの一つの態様によれば、吸放湿部材によって第１送風装置から送られる空気に含まれた水蒸気を吸湿でき、吸放湿部材によって吸湿した水分を第２送風装置によって送られる空気内に水蒸気として放湿できる。そして、熱交換部によって、空気に水蒸気として放湿された水分を凝縮させて冷媒を生成することができる。これにより、プロジェクター内の雰囲気中から冷媒を生成することができる。
【００１１】
また、本発明のプロジェクターの一つの態様によれば、吸放湿部材が固定されている。そのため、例えば、吸放湿部材を回転させる駆動部を設ける必要がなく、冷媒生成部の消費電力を低減できる。また、第１送風装置はプロジェクターの外部の空気を吸放湿部材に送るため、第１送風装置としてプロジェクターの吸気ファンを利用できる。これにより、別途送風装置を設けずに冷媒を生成することができる。したがって、プロジェクターの部品点数が増加することを抑制できる。また、送風装置の数が増加することを抑制できるため、プロジェクターから生じる騒音が大きくなることを抑制できる。
【００１２】
前記吸放湿部材は、第１方向に空気が流通可能な第１層と、前記第１方向と交差する第２方向に空気が流通可能な第２層と、が積層されて構成され、前記第１送風装置は、前記第１方向に沿って前記第１層に空気を通過させ、前記第２送風装置は、前記第２方向に沿って前記第２層に空気を通過させて前記熱交換部に送る構成としてもよい。
この構成によれば、吸放湿部材を第１方向に通過する空気が流れる流路と、吸放湿部材を第２方向に通過する空気が流れる流路と、を分けることができる。これにより、異なる空気を吸放湿部材に通しつつ、異なる空気が互いに混ざることを抑制できる。したがって、第２送風装置から送られる空気に、第１送風装置から送られる空気等のプロジェクターの外部の空気が混ざることを抑制でき、第２送風装置から送られる空気の湿度が低下することを抑制できる。これにより、熱交換部を冷却することで、好適に冷媒を生成することができる。また、プロジェクターの外部の空気に含まれる異物が空気に混ざることを抑制できる。
【００１３】
前記第１層と前記第２層とは、それぞれ複数ずつ設けられ、前記吸放湿部材は、前記第１層と前記第２層とが交互に積層されて構成されていてもよい。
この構成によれば、第１送風装置からの空気が通過することで第１層に吸湿された水分が、隣り合う第２層に移動しやすい。これにより、第２層が水分を含んだ状態となりやすく、第２送風装置からの空気を第２層に通すことで、空気に水蒸気が放湿されやすい。したがって、熱交換部に送られる第２送風装置からの空気に好適に水分を含ませることができ、好適に冷媒を生成することができる。
【００１４】
前記熱交換部は、前記第１送風装置から放出され、前記第１層を通過した空気によって冷却される構成としてもよい。
この構成によれば、熱交換部を冷却する冷却部を別途設ける必要がなく、プロジェクターの部品点数が増加することを抑制できる。また、熱交換部を冷却する冷却部として送風装置を別途設けるような場合に比べて、プロジェクターから生じる騒音が大きくなることを抑制できる。
【００１５】
前記冷媒生成部は、内部に前記吸放湿部材が固定された吸放湿流路部と、前記吸放湿流路部に繋がる第１開口を有する第１流路部と、前記吸放湿流路部に繋がる第２開口を有する第２流路部と、切り換え可能に前記第１開口と前記第２開口とのうちの一方を閉塞する流路切換部と、をさらに有し、前記第１送風装置は、前記第１流路部の内部を介して前記第１開口に向けて空気を送り、前記第２送風装置は、前記第２流路部の内部を介して前記第２開口に向けて空気を送り、前記流路切換部によって前記第２開口が閉塞され前記第１開口が開放されている場合、前記第１送風装置から送られた空気は、前記第１開口から前記吸放湿流路部に流入して前記吸放湿部材を通過し、前記流路切換部によって前記第１開口が閉塞され前記第２開口が開放されている場合、前記第２送風装置から送られた空気は、前記第２開口から前記吸放湿流路部に流入して前記吸放湿部材を通過し、前記熱交換部に流入する構成としてもよい。
この構成によれば、流路切換部によって第１開口および第２開口を閉塞と開放とに切り換えることができ、吸放湿流路部に流入する空気を、吸放湿部材に水分を吸湿させる第１送風装置からの空気と、吸放湿部材から水分が放湿される第２送風装置からの空気と、に切り換えることができる。これにより、吸放湿流路部の内部に固定された吸放湿部材に対して吸湿と放湿とを交互に繰り返すことで、冷媒を生成することができる。
【００１６】
また、吸放湿流路部と繋がる流路部を第１流路部と第２流路部とに切り換えられるため、第２送風装置からの空気が流れる第２流路部が吸放湿流路部と繋がる場合には、第１送風装置からの空気が流れる第１流路部を、吸放湿流路部に繋げる必要がない。そのため、第２送風装置からの空気が流れる第２流路部と吸放湿流路部とを繋げて循環する循環経路を構成した場合に、循環経路を密閉しやすい。したがって、第２送風装置から送られる空気の湿度が低下することを抑制でき、冷媒を好適に生成できる。また、循環経路内に異物が入ることを抑制できる。
【００１７】
前記流路切換部は、前記第１送風装置から前記第１開口に向けて送られる空気の流量と前記第２送風装置から前記第２開口に向けて送られる空気の流量とに基づいて、前記第１開口および前記第２開口の閉塞を切り換える構成としてもよい。
この構成によれば、各送風装置から放出される空気の流量に応じて、適切に吸放湿流路部に流入する空気を選択できる。
【００１８】
前記流路切換部は、前記第１送風装置から前記第１開口に向けて送られる空気の流量が前記第２送風装置から前記第２開口に向けて送られる空気の流量よりも大きい場合に、前記第２開口を閉塞し、前記流路切換部は、前記第２送風装置から前記第２開口に向けて送られる空気の流量が前記第１送風装置から前記第１開口に向けて送られる空気の流量よりも大きい場合に、前記第１開口を閉塞する構成としてもよい。
この構成によれば、各空気の流量差を利用して、流路切換部に力を加え、容易に流路切換部を切り換えることができる。これにより、流路切換部を切り換えるために別途駆動部等を設ける必要がなく、冷媒生成部の消費電力を低減できる。
【００１９】
前記流路切換部によって前記第２開口が閉塞され前記第１開口が開放されている場合、前記第１送風装置から送られた空気は、前記吸放湿部材を通過し、前記冷却対象に送られる構成としてもよい。
この構成によれば、冷却対象をより冷却しやすい。
【００２０】
前記第１送風装置と前記第２送風装置とは、記第１送風装置から放出される空気の流量と前記第２送風装置から放出される空気の流量との合計が一定になるように制御される構成としてもよい。
この構成によれば、第１送風装置および第２送風装置から生じる騒音の大きさを一定にしやすい。これにより、第１送風装置および第２送風装置を制御して、上述した流路切換部の切り換えを行った場合でも、騒音の大きさが変動することを抑制できる。
【００２１】
前記冷媒生成部は、前記熱交換部を冷却する第３送風装置をさらに有する構成としてもよい。
この構成によれば、第１送風装置から放出される空気を引き回すことなく、第３送風装置によって容易に熱交換部を冷却することができる。
【００２２】
前記第３送風装置は、前記流路切換部の切り換えに基づいて制御される構成としてもよい。
この構成によれば、例えば、流路切換部によって第１開口が閉塞され第２開口が開放された場合には第３送風装置から空気を放出させて熱交換部を冷却し、流路切換部によって第２開口が閉塞され第１開口が開放された場合には第３送風装置を停止させることができる。これにより、第２送風装置からの空気が熱交換部に流入する場合に、選択的に第３送風装置を駆動させることができる。したがって、第３送風装置の消費電力を低減できる。また、吸放湿部材が第１送風装置からの空気から水分を吸湿している際に、第３送風装置を停止すれば、第３送風装置から騒音が生じることがなく、プロジェクターから生じる騒音を低減できる。
【００２３】
前記第２送風装置は、前記吸放湿部材に空気を通過させて前記熱交換部に送り、前記加熱部は、前記吸放湿部材を通過する前の空気を加熱する加熱本体部と、前記第２送風装置と、を有する構成としてもよい。
この構成によれば、加熱部は、第２送風装置によって吸放湿部材に空気を送ることで、吸放湿部材を加熱することができる。これにより、加熱本体部を吸放湿部材から離れた位置に配置しても、加熱部によって吸放湿部材を加熱することができる。したがって、加熱部の構成の自由度を向上させることができる。
【００２４】
前記冷媒生成部は、前記第２送風装置から放出された空気が循環する循環経路を有し、前記循環経路は、前記吸放湿部材と前記熱交換部とを通る構成としてもよい。
この構成によれば、循環経路を密閉することで循環経路内にプロジェクターの外部の空気が入ることを抑制でき、熱交換部に送られる空気の湿度を比較的高い状態に維持しやすい。したがって、熱交換部を冷却することで、好適に冷媒を生成することができる。
【００２５】
また、本発明のプロジェクターの一つの態様によれば、上述したように、異なる空気の流れる流路を分けつつ、吸放湿部材に異なる空気のそれぞれを通過させることができる。そのため、循環経路を密閉しても、吸放湿部材に第１送風装置からの空気と第２送風装置からの空気とを通過させることができる。したがって、循環経路を精度よく密閉して、空気の湿度をより好適に維持することができる。したがって、熱交換部を冷却することで、より好適に冷媒を生成することができる。また、循環経路を精度よく密閉できることで、循環経路内に異物が入ることをより抑制できる。
【図面の簡単な説明】
【００２６】
【図１】第１実施形態のプロジェクターを示す概略構成図である。
【図２】第１実施形態のプロジェクターの一部を示す模式図である。
【図３】第１実施形態の冷媒生成部を模式的に示す概略構成図である。
【図４】第１実施形態の冷媒生成部の一部を示す斜視図である。
【図５】第１実施形態の熱交換部を示す部分断面斜視図である。
【図６】第１実施形態の光変調ユニットと光合成光学系とを示す斜視図である。
【図７】第１実施形態の光変調ユニットを光が入射する側から視た図である。
【図８】第１実施形態の光変調ユニットを示す図であって、図７におけるＶＩＩＩ−ＶＩＩＩ断面図である。
【図９】第１実施形態の冷媒保持部を示す図である。
【図１０】第１実施形態の変形例である冷媒生成部の一部を示す斜視図である。
【図１１】第２実施形態の冷媒生成部を模式的に示す概略構成図である。
【図１２】第２実施形態の冷媒生成部を模式的に示す概略構成図である。
【発明を実施するための形態】
【００２７】
以下、図面を参照しながら、本発明の実施形態に係るプロジェクターについて説明する。なお、本発明の範囲は、以下の実施の形態に限定されず、本発明の技術的思想の範囲内で任意に変更可能である。また、以下の図面においては、各構成をわかりやすくするために、各構造における縮尺および数等を、実際の構造における縮尺および数等と異ならせる場合がある。
【００２８】
＜第１実施形態＞
図１は、本実施形態のプロジェクター１を示す概略構成図である。図２は、本実施形態のプロジェクター１の一部を示す模式図である。図１に示すように、プロジェクター１は、光源装置２と、色分離光学系３と、光変調ユニット４Ｒと、光変調ユニット４Ｇと、光変調ユニット４Ｂと、光合成光学系５と、投射光学装置６と、を備える。光変調ユニット４Ｒは、光変調装置４ＲＰを有する。光変調ユニット４Ｇは、光変調装置４ＧＰを有する。光変調ユニット４Ｂは、光変調装置４ＢＰを有する。
【００２９】
光源装置２は、略均一な照度分布を有するように調整された照明光ＷＬを色分離光学系３に向けて射出する。光源装置２は、光源として、例えば、半導体レーザーを有する。色分離光学系３は、光源装置２からの照明光ＷＬを赤色光ＬＲと緑色光ＬＧと青色光ＬＢとに分離する。色分離光学系３は、第１のダイクロイックミラー７ａと、第２のダイクロイックミラー７ｂと、第１の反射ミラー８ａと、第２の反射ミラー８ｂと、第３の反射ミラー８ｃと、リレーレンズ８ｄと、を備える。
【００３０】
第１のダイクロイックミラー７ａは、光源装置２から射出された照明光ＷＬを、赤色光ＬＲと、緑色光ＬＧと青色光ＬＢとが混合された光と、に分離する。第１のダイクロイックミラー７ａは、赤色光ＬＲを透過させるとともに、緑色光ＬＧおよび青色光ＬＢを反射する特性を有する。第２のダイクロイックミラー７ｂは、緑色光ＬＧと青色光ＬＢとが混合された光を緑色光ＬＧと青色光ＬＢとに分離する。第２のダイクロイックミラー７ｂは、緑色光ＬＧを反射するとともに、青色光ＬＢを透過させる特性を有する。
【００３１】
第１の反射ミラー８ａは、赤色光ＬＲの光路中に配置され、第１のダイクロイックミラー７ａを透過した赤色光ＬＲを光変調装置４ＲＰに向けて反射する。第２の反射ミラー８ｂおよび第３の反射ミラー８ｃは、青色光ＬＢの光路中に配置され、第２のダイクロイックミラー７ｂを透過した青色光ＬＢを光変調装置４ＢＰに導く。
【００３２】
光変調装置４ＲＰ、光変調装置４ＧＰ、および光変調装置４ＢＰの各々は、液晶パネルから構成されている。光変調装置４ＲＰは、光源装置２からの光のうち赤色光ＬＲを画像信号に応じて変調する。光変調装置４ＧＰは、光源装置２からの光のうち緑色光ＬＧを画像信号に応じて変調する。光変調装置４ＢＰは、光源装置２からの光のうち青色光ＬＢを画像信号に応じて変調する。これにより、各光変調装置４ＲＰ，４ＧＰ，４ＢＰは、各色光に対応した画像光を形成する。図示は省略するが、光変調装置４ＲＰ，４ＧＰ，４ＢＰの各々の光入射側および光射出側には、偏光板が配置されている。
【００３３】
光変調装置４ＲＰの光入射側には、光変調装置４ＲＰに入射する赤色光ＬＲを平行化するフィールドレンズ９Ｒが配置されている。光変調装置４ＧＰの光入射側には、光変調装置４ＧＰに入射する緑色光ＬＧを平行化するフィールドレンズ９Ｇが配置されている。光変調装置４ＢＰの光入射側には、光変調装置４ＢＰに入射する青色光ＬＢを平行化するフィールドレンズ９Ｂが配置されている。
【００３４】
光合成光学系５は、略立方体状のクロスダイクロイックプリズムから構成されている。光合成光学系５は、光変調装置４ＲＰ，４ＧＰ，４ＢＰからの各色の画像光を合成する。光合成光学系５は、合成した画像光を投射光学装置６に向かって射出する。投射光学装置６は、投射レンズ群から構成されている。投射光学装置６は、光合成光学系５により合成された画像光、すなわち光変調装置４ＲＰ，４ＧＰ，４ＢＰにより変調された光をスクリーンＳＣＲに向かって拡大投射する。これにより、スクリーンＳＣＲ上には、拡大されたカラー画像（映像）が表示される。
【００３５】
プロジェクター１は、図２に示すように、冷却装置１０をさらに備える。冷却装置１０は、冷媒Ｗが気体へ変化することで、プロジェクター１に備えられた冷却対象を冷却する。本実施形態において冷媒Ｗは、例えば、液体の水である。そのため、以下の説明においては、冷媒Ｗが気体へ変化することを単に気化と呼ぶ場合がある。本実施形態において冷却対象は、光変調ユニット４Ｒ，４Ｇ，４Ｂを含む。
【００３６】
冷却装置１０は、冷媒生成部２０と、冷媒伝送部５０と、を有する。冷媒生成部２０は、冷媒Ｗを生成する部分である。冷媒伝送部５０は、生成された冷媒Ｗを冷却対象に向けて伝送する部分である。冷媒伝送部５０によって冷却対象（本実施形態では光変調ユニット４Ｒ，４Ｇ，４Ｂ）に送られた冷媒Ｗが気化することで冷却対象から熱を奪うことができ、冷却装置１０は、冷却対象を冷却することができる。以下、各部について詳細に説明する。
【００３７】
図３は、本実施形態の冷媒生成部２０を模式的に示す概略構成図である。図４は、冷媒生成部２０の一部を示す斜視図である。冷媒生成部２０は、図３および図４に示すように、循環ダクト２５と、吸放湿部材４０と、第１送風装置６０と、熱交換部３０と、加熱部２２と、第２送風装置２３と、吸湿ダクト２１と、を有する。
【００３８】
以下の説明においては、適宜各図において示されるＤ１軸と平行な方向を「第１方向Ｄ１」と呼び、Ｄ２軸と平行な方向を「第２方向Ｄ２」と呼び、Ｄ３軸と平行な方向を「第３方向Ｄ３」と呼ぶ。第１方向Ｄ１と第２方向Ｄ２と第３方向Ｄ３とは、互いに直交する。
【００３９】
循環ダクト２５は、図３に示すように、加熱流路部２５ａと、放湿流路部２５ｂと、送風流路部２５ｃと、を有する。加熱流路部２５ａは、第１方向Ｄ１に延びている。加熱流路部２５ａの第１方向Ｄ１の一方側（＋Ｄ１側）の端部には、後述する第１蓋部３２の連通孔３２ｃと繋がる循環ダクト２５の流入口が設けられている。
【００４０】
放湿流路部２５ｂは、加熱流路部２５ａの第１方向Ｄ１の他方側（−Ｄ１側）の端部から第２方向Ｄ２の一方側（＋Ｄ２側）に延びている。図４に示すように、放湿流路部２５ｂの第２方向Ｄ２と直交する断面形状は、例えば、矩形状である。送風流路部２５ｃは、図３に示すように、放湿流路部２５ｂの第２方向Ｄ２の一方側の端部から第１方向Ｄ１の一方側に延びている。送風流路部２５ｃの第１方向Ｄ１の一方側の端部には、後述する第１蓋部３２の連通孔３２ｂと繋がる循環ダクト２５の流出口が設けられている。
【００４１】
熱交換部３０は、冷媒Ｗが生成される部分である。図５は、熱交換部３０を示す部分断面斜視図である。図５に示すように、熱交換部３０は、流通部３１と、第１蓋部３２と、第２蓋部３３と、を有する。流通部３１は、第１方向Ｄ１に延びる管状の複数の配管部３１ａを有する。配管部３１ａは、第１方向Ｄ１の両側に開口する。配管部３１ａの第１方向Ｄ１と直交する断面形状は、例えば、円形状である。
【００４２】
本実施形態において流通部３１は、複数の配管部３１ａが第２方向Ｄ２に沿って並べられて構成された層が、第３方向Ｄ３に沿って複数積層されて構成されている。本実施形態において、流通部３１の第３方向Ｄ３の寸法は、例えば、流通部３１の第２方向Ｄ２の寸法よりも小さく、第１方向Ｄ１と直交する方向の流通部３１の寸法のうちで最も小さい。
【００４３】
第１蓋部３２は、流通部３１における第１方向Ｄ１の他方側（−Ｄ１側）の端部に接続されている。第１蓋部３２は、第２方向Ｄ２に長い直方体箱状である。第１蓋部３２の内部には、配管部３１ａの第１方向Ｄ１の一端が開口している。図３に示すように、第１蓋部３２の内部には、仕切部３２ａが設けられている。仕切部３２ａは、第１蓋部３２の内部を第２方向Ｄ２に並ぶ第１空間Ｓ１と第２空間Ｓ２とに仕切っている。図３において、第１空間Ｓ１は、第２空間Ｓ２の右側（＋Ｄ２側）に位置する。
【００４４】
第１蓋部３２には、第１空間Ｓ１と循環ダクト２５における送風流路部２５ｃの内部とを繋ぐ連通孔３２ｂが形成されている。第１蓋部３２には、第２空間Ｓ２と循環ダクト２５における加熱流路部２５ａの内部とを繋ぐ連通孔３２ｃが形成されている。
【００４５】
第２蓋部３３は、流通部３１における第１方向Ｄ１の一方側（＋Ｄ１側）の端部、すなわち第１蓋部３２が接続された側と逆側の端部に接続されている。図５に示すように、第２蓋部３３は、第２方向Ｄ２に長い直方体箱状である。第２蓋部３３の内部には、配管部３１ａの第１方向Ｄ１の他端が開口している。第２蓋部３３の内部は、第１蓋部３２と異なり、仕切られていない。第２蓋部３３の内部は、流通部３１の配管部３１ａの内部を介して、第１蓋部３２の内部のうち第１空間Ｓ１および第２空間Ｓ２のそれぞれと繋がっている。第２蓋部３３は、冷媒伝送部５０と接続されている。これにより、熱交換部３０は、冷媒伝送部５０と接続されている。なお、図５においては、第２蓋部３３における第１方向Ｄ１の一方側の壁を省略している。
【００４６】
吸湿ダクト２１は、図３に示すように、吸湿流路部２１ｂと、冷却流路部２１ａと、接続流路部２１ｃと、を有する。吸湿流路部２１ｂは、第１方向Ｄ１に延びている。吸湿流路部２１ｂは、図３および図４に示すように、循環ダクト２５における放湿流路部２５ｂと交差している。図３に示すように、吸湿流路部２１ｂの第１方向Ｄ１の他方側（−Ｄ１側）の端部は、開口している。吸湿流路部２１ｂの開口は、第１送風装置６０からの空気ＡＲ１が流入する吸湿ダクト２１の流入口である。図４に示すように、吸湿流路部２１ｂの第１方向Ｄ１と直交する断面形状は、例えば、台形状である。
【００４７】
冷却流路部２１ａは、図３に示すように、第２方向Ｄ２に延びている。冷却流路部２１ａにおける第２方向Ｄ２の他方側（−Ｄ２側）の端部は、開口している。冷却流路部２１ａの開口は、例えば、吸湿ダクト２１の流出口である。冷却流路部２１ａには、熱交換部３０の流通部３１が第１方向Ｄ１に貫通して配置されている。これにより、冷却流路部２１ａの内部には、流通部３１が配置されている。接続流路部２１ｃは、吸湿流路部２１ｂと冷却流路部２１ａとを繋いでいる。
【００４８】
本実施形態において吸放湿部材４０は、図４に示すように、第１方向Ｄ１に延びる台形柱状の部材である。吸放湿部材４０の第２方向Ｄ２の寸法は、第３方向Ｄ３の一方側（＋Ｄ３側）に向かうに従って小さくなっている。吸放湿部材４０は、多孔質部材である。吸放湿部材４０は、吸放湿性を有する。吸放湿部材４０は、循環ダクト２５と吸湿ダクト２１とが交差する部分、すなわち放湿流路部２５ｂと吸湿流路部２１ｂとが交差する部分の内部に固定されている。吸放湿部材４０は、放湿流路部２５ｂと吸湿流路部２１ｂとが交差する部分の内部に充填されており、放湿流路部２５ｂの内部と吸湿流路部２１ｂの内部とを遮断している。
【００４９】
吸放湿部材４０は、第１層４１と、第２層４２と、が第３方向Ｄ３に積層されて構成されている。本実施形態において第１層４１と第２層４２とは、それぞれ複数ずつ設けられている。図４では、第１層４１は、例えば、３つ設けられており、第２層４２は、例えば、２つ設けられている。吸放湿部材４０は、第１層４１と第２層４２とが交互に積層されて構成されている。
【００５０】
第１層４１は、第１層４１を第１方向Ｄ１に貫通する無数の貫通孔４１ａを有し、貫通孔４１ａを介して第１方向Ｄ１に空気が流通可能である。第１層４１の貫通孔４１ａは、第１方向Ｄ１の両側の端部が吸湿流路部２１ｂの内部に開口している。第２層４２は、第２層４２を第２方向Ｄ２に貫通する無数の貫通孔４２ａを有し、貫通孔４２ａを介して第１方向Ｄ１と交差する第２方向Ｄ２に空気が流通可能である。第２層４２の貫通孔４２ａは、第２方向Ｄ２の両側の端部が放湿流路部２５ｂの内部に開口している。
【００５１】
本実施形態において吸放湿部材４０は、例えば、貫通孔を有する板状の部材を、貫通孔の向きを交互に変えて積層し、積層された板状の部材における外部に露出する面に吸放湿性を有する物質を塗布して作られている。なお、積層された板状の部材における外部に露出する面とは、吸放湿部材４０の外表面、第１層４１の貫通孔４１ａの内側面、および第２層４２の貫通孔４２ａの内側面を含む。なお、吸放湿部材４０は、全体が吸放湿性を有する物質から作られていてもよい。吸放湿性を有する物質としては、例えば、ゼオライト等が挙げられる。
【００５２】
加熱部２２は、図３に示すように、加熱本体部２２ａを有する。加熱本体部２２ａは、循環ダクト２５の内部に配置されている。より詳細には、加熱本体部２２ａは、循環ダクト２５における加熱流路部２５ａの内部に配置されている。加熱本体部２２ａは、例えば、電気ヒーターである。加熱本体部２２ａは、加熱流路部２５ａの内部の雰囲気を加熱する。本実施形態において加熱部２２は、第２送風装置２３を有する。
【００５３】
第２送風装置２３は、循環ダクト２５の内部に配置されている。より詳細には、第２送風装置２３は、循環ダクト２５における送風流路部２５ｃの内部に配置されている。第２送風装置２３は、例えば、軸流ファンである。第２送風装置２３は、第１方向Ｄ１の他方側（−Ｄ１側）から吸気した空気を、第１方向Ｄ１の一方側（＋Ｄ１側）に放出する。第２送風装置２３は、連通孔３２ｂを介して第１空間Ｓ１に空気を送る。
【００５４】
第２送風装置２３から第１空間Ｓ１を介して熱交換部３０に流入した空気は、複数の配管部３１ａのうち第１空間Ｓ１と繋がる配管部３１ａの内部を通って、第２蓋部３３の内部に流入する。第２蓋部３３の内部に流入した空気は、複数の配管部３１ａのうち第２空間Ｓ２と繋がる配管部３１ａの内部を通って、第２空間Ｓ２に流入し、連通孔３２ｃから循環ダクト２５における加熱流路部２５ａの内部に流入する。加熱流路部２５ａに流入した空気は、放湿流路部２５ｂを介して送風流路部２５ｃに流入し、第２送風装置２３に再び吸気される。
【００５５】
以上のように、本実施形態において冷媒生成部２０は、第２送風装置２３から放出された空気が循環する循環経路２７を有する。循環経路２７は、少なくとも循環ダクト２５と熱交換部３０とによって構成されている。循環経路２７は、加熱本体部２２ａと吸放湿部材４０と熱交換部３０とを通る。上述したように循環ダクト２５の内部と吸湿ダクト２１の内部とは吸放湿部材４０によって遮断されているため、循環経路２７の内部は、吸湿ダクト２１の内部と遮断されている。循環経路２７は密閉されており、循環経路２７の内部に外部からの空気が流入することが抑制される。なお、以下の説明においては、第２送風装置２３から放出され循環経路２７内を循環する空気を空気ＡＲ２と呼ぶ。
【００５６】
第２送風装置２３は、循環経路２７の内部に空気ＡＲ２を循環させることで、図４に示すように放湿流路部２５ｂの内部において、第２方向Ｄ２に沿って第２層４２に空気ＡＲ２を通過させて熱交換部３０に送る。空気ＡＲ２は、第２層４２の貫通孔４２ａを通って第２層４２を通過する。吸放湿部材４０における第２層４２を通過する前の空気ＡＲ２は、加熱流路部２５ａを通り、加熱本体部２２ａによって加熱される。すなわち、加熱本体部２２ａは、吸放湿部材４０を通過する前の空気ＡＲ２を加熱する。
【００５７】
このように、本実施形態において加熱部２２は、加熱本体部２２ａによって加熱された空気ＡＲ２を、第２送風装置２３によって吸放湿部材４０に送ることで、吸放湿部材４０を加熱する。これにより、第２送風装置２３は、吸放湿部材４０における加熱部２２によって加熱された部分の周囲の空気を熱交換部３０に送る。
【００５８】
第１送風装置６０は、プロジェクター１内に外部の空気を取り込む吸気ファンである。第１送風装置６０は、図２に示すように、冷却対象である光変調ユニット４Ｒ，４Ｇ，４Ｂにも空気ＡＲ１を送る。第１送風装置６０は、空気ＡＲ１を送れることができるならば、特に限定されず、例えば、軸流ファンであっても、遠心ファンであってもよい。
【００５９】
第１送風装置６０は、図３に示すように、吸湿流路部２１ｂの流入口から吸湿ダクト２１の内部に空気ＡＲ１を送る。吸湿流路部２１ｂに流入した空気ＡＲ１は、図４に示すように、第１方向Ｄ１に沿って吸放湿部材４０の第１層４１を通過する。空気ＡＲ１は、第１層４１の貫通孔４１ａを通って第１層４１を通過する。このように、第１送風装置６０は、プロジェクター１の外部の空気ＡＲ１を吸放湿部材４０に送り、第１方向Ｄ１に沿って第１層４１に空気ＡＲ１を通過させる。
【００６０】
第１層４１を通過した空気ＡＲ１は、図３に示すように、接続流路部２１ｃを介して、冷却流路部２１ａに流入する。冷却流路部２１ａを通る空気ＡＲ１は、流通部３１の外表面に吹き付けられ、流通部３１を第２方向Ｄ２に通過する。これにより、流通部３１は、空気ＡＲ１によって冷却される。すなわち、熱交換部３０は、第１送風装置６０から放出され、吸放湿部材４０の第１層４１を通過した空気ＡＲ１によって冷却される。図３では、冷却流路部２１ａにおいて空気ＡＲ１は、右側から左側に流通部３１を通過している。
【００６１】
吸放湿部材４０の第１層４１に第１送風装置６０からの空気ＡＲ１が通されると、空気ＡＲ１に含まれる水蒸気が、貫通孔４１ａの内側面から第１層４１に吸湿される。第１層４１に吸湿された水分は、吸放湿部材４０内に浸透し、第１層４１に積層される第２層４２にも移動する。そして、吸放湿部材４０の第２層４２には、加熱本体部２２ａによって加熱された比較的温度の高い空気ＡＲ２が通される。これにより、第２層４２が加熱され、第２層４２に吸湿されていた水分が貫通孔４２ａの内側面から気化して空気ＡＲ２に放湿される。
【００６２】
吸放湿部材４０の第２層４２を通過することで空気ＡＲ１から吸湿した水蒸気を含んだ空気ＡＲ２は、第２送風装置２３によって熱交換部３０へと送られる。第１空間Ｓ１から熱交換部３０へと流入した空気ＡＲ２は、流通部３１の内部を流れる。より詳細には、空気ＡＲ２は、流通部３１の配管部３１ａの内部を流れる。流通部３１は、吸湿ダクト２１の冷却流路部２１ａを第２方向Ｄ２に沿って流れる空気ＡＲ１によって外部から冷却される。
【００６３】
流通部３１が冷却されると、配管部３１ａの内部を流れる比較的温度の高い空気ＡＲ２が冷却されて、空気ＡＲ２に含まれていた水蒸気が凝縮して液体の水、すなわち冷媒Ｗになる。このようにして、熱交換部３０は、冷却されることで熱交換部３０に流入した空気ＡＲ２から冷媒Ｗを生成する。
【００６４】
本実施形態において冷媒伝送部５０は、多孔質部材製であり、毛細管現象によって冷媒Ｗを伝送する。冷媒伝送部５０の材質としては、例えば、ポリプロピレン、コットン、ポーラス金属等が挙げられる。冷媒伝送部５０の材質は、冷媒伝送部５０の表面張力を比較的大きくできる材質が好ましい。冷媒伝送部５０は、図５に示すように、第１捕捉部５１と、第２捕捉部５２と、第３捕捉部５３と、接続部５４と、を有する。
【００６５】
第１捕捉部５１は、第１蓋部３２の内側面のうち第１方向Ｄ１の他方側（−Ｄ１側）の縁部に固定されている。第１捕捉部５１は、薄い帯状であり、第１蓋部３２の縁部に沿って矩形枠状に成形されている。第２捕捉部５２は、第２蓋部３３の内側面のうち第１方向Ｄ１の一方側（＋Ｄ１側）の縁部に固定されている。第２捕捉部５２は、薄い帯状であり、第２蓋部３３の縁部に沿って矩形枠状に成形されている。
【００６６】
第３捕捉部５３は、第１捕捉部５１から配管部３１ａの内部を通って第２捕捉部５２まで延びており、第１捕捉部５１と第２捕捉部５２とを接続している。第３捕捉部５３は、第１方向Ｄ１に延びた薄い帯状である。
【００６７】
接続部５４は、冷媒生成部２０と冷却対象とを接続する部分である。本実施形態において接続部５４は、第２捕捉部５２に接続され、第２蓋部３３の内部から第２蓋部３３の外部に第２蓋部３３の壁を貫通して突出している。第２蓋部３３の外部に突出した接続部５４は、冷却対象である光変調ユニット４Ｇまで延びている（図６参照）。接続部５４は、薄い帯状である。接続部５４の幅は、例えば、第１捕捉部５１の幅、第２捕捉部５２の幅、および第３捕捉部５３の幅よりも大きい。
【００６８】
次に、本実施形態における冷却対象である光変調ユニット４Ｒ，４Ｇ，４Ｂについて、より詳細に説明する。以下の説明においては、正の側を上側とし、負の側を下側とする上下方向ＰＺを、適宜図においてＰＺ軸で示す。投射光学装置６における最も光射出側の投射レンズの光軸ＡＸと平行な方向、すなわち投射光学装置６の投射方向と平行な方向を「光軸方向ＰＸ」と呼び、適宜図においてＰＸ軸で示す。光軸方向ＰＸは、上下方向ＰＺと直交する。また、光軸方向ＰＸおよび上下方向ＰＺの両方と直交する方向を「幅方向ＰＹ」と呼び、適宜図においてＰＹ軸で示す。
【００６９】
なお、上下方向ＰＺ、上側および下側とは、単に各部の相対位置関係を説明するための名称であり、実際の配置関係等は、これらの名称で示される配置関係等以外の配置関係等であってもよい。
【００７０】
図６は、光変調ユニット４Ｒ，４Ｇ，４Ｂと光合成光学系５とを示す斜視図である。図７は、光変調ユニット４Ｇを光が入射する側から視た図である。図８は、光変調ユニット４Ｇを示す図であって、図７におけるＶＩＩＩ−ＶＩＩＩ断面図である。
【００７１】
冷却対象である光変調ユニット４Ｒと光変調ユニット４Ｇと光変調ユニット４Ｂとは、図６に示すように、光合成光学系５の周りを囲んで配置されている。光変調ユニット４Ｒと光変調ユニット４Ｂとは、光合成光学系５を幅方向ＰＹに挟んで互いに反対側に配置されている。光変調ユニット４Ｇは、光合成光学系５の光軸方向ＰＸの光入射側（−ＰＸ側）に配置されている。光変調ユニット４Ｒの構造と光変調ユニット４Ｇの構造と光変調ユニット４Ｂの構造とは、配置される位置および姿勢が異なる点を除いて同様であるため、以下の説明においては、代表して光変調ユニット４Ｇについてのみ説明する場合がある。
【００７２】
光変調ユニット４Ｇは、光変調装置４ＧＰを保持する保持フレーム８０を有する。保持フレーム８０は、図６から図８に示すように、光変調装置４ＧＰに光が入射する方向に扁平で上下方向ＰＺに長い略直方体状である。光変調装置４ＧＰの光が入射する方向は、例えば、光軸方向ＰＸである。
【００７３】
保持フレーム８０は、図８に示すように、保持フレーム８０を光が入射する方向に貫通する貫通孔８１を有する。貫通孔８１の光が入射する側（図では−ＰＸ側）の縁には、貫通孔８１の幅が広くなる段差部８３が設けられている。光変調装置４ＧＰは、段差部８３に嵌められて保持フレーム８０に保持されている。図７に示すように、保持フレーム８０の光が入射する側の面における上下方向ＰＺの両側の部分には、挿入溝８２ａ，８２ｂが形成されている。
【００７４】
プロジェクター１は、図６から図８に示すように、冷却対象である光変調ユニット４Ｇに設けられた冷却促進部７０をさらに備える。冷却促進部７０は、冷媒保持部７１と、固定部材７２と、を有する。冷媒保持部７１は、冷却対象である光変調ユニット４Ｇの保持フレーム８０の面に取り付けられている。本実施形態では、冷媒保持部７１は、保持フレーム８０における光変調装置４ＧＰに光が入射する側（−ＰＸ側）の面に設けられている。冷媒保持部７１は、冷媒Ｗを保持する多孔質部材製である。冷媒保持部７１の材質としては、例えば、ポリプロピレン、コットン、ポーラス金属等が挙げられる。冷媒保持部７１の材質は、例えば、冷媒伝送部５０の材質と同じにできる。冷媒保持部７１の材質は、冷媒保持部７１の表面張力を比較的大きくできる材質が好ましい。
【００７５】
図９は、冷媒保持部７１を示す図である。冷媒保持部７１は、図９に示すように、矩形枠状の本体部７１ａと、本体部７１ａにおける上下方向ＰＺの両側の端部に設けられた挿入部７１ｂ，７１ｃと、を有する。本体部７１ａは、図８に示すように、保持フレーム８０における光変調装置４ＧＰに光が入射する側（−ＰＸ側）の面の一部を覆っている。本体部７１ａにおける内縁側の部分は、光変調装置４ＧＰの外縁部分を覆っている。挿入部７１ｂは、折り曲げられて保持フレーム８０の挿入溝８２ａに挿入されている。挿入部７１ｃは、折り曲げられて保持フレーム８０の挿入溝８２ｂに挿入されている。
【００７６】
固定部材７２は、冷媒保持部７１を固定する部材である。固定部材７２は、図６および図８に示すように、板状の部材である。固定部材７２は、例えば、金属製である。固定部材７２は、矩形枠状の枠部７２ａと、取付部７２ｂと、挿入部７２ｃと、を有する。枠部７２ａは、図７および図８に示すように、冷媒保持部７１の外縁部を覆っている。保持フレーム８０と冷媒保持部７１と枠部７２ａとは、光変調ユニット４Ｇを通過する光の方向（光軸方向ＰＸ）に積層されている。以下の説明においては、保持フレーム８０と冷媒保持部７１と枠部７２ａとが積層された方向を単に「積層方向」と呼ぶ。固定部材７２は、枠部７２ａによって、保持フレーム８０との間で冷媒保持部７１を積層方向（光軸方向ＰＸ）に挟んで固定している。
【００７７】
枠部７２ａの内縁は、冷媒保持部７１の内縁よりも外側に設けられている。そのため、冷媒保持部７１の一部、すなわち本実施形態では枠部７２ａよりも内側の部分は、積層方向の固定部材７２側から視て、露出している。
【００７８】
取付部７２ｂは、図６および図８に示すように、枠部７２ａの上下方向ＰＺの両端部における幅方向ＰＹの両端部にそれぞれ設けられている。取付部７２ｂは、枠部７２ａから保持フレーム８０側（＋ＰＸ側）に突出している。取付部７２ｂは、保持フレーム８０の側面に設けられた突起に係合されている。これにより、固定部材７２は、保持フレーム８０に固定されている。
【００７９】
挿入部７２ｃは、枠部７２ａの上下方向ＰＺの両端部に設けられている。挿入部７２ｃは、枠部７２ａから保持フレーム８０側（＋ＰＸ側）に突出している。挿入部７２ｃは、保持フレーム８０の挿入溝８２ａ，８２ｂに挿入されている。挿入部７２ｃは、挿入溝８２ａ，８２ｂの内部において、冷媒保持部７１の挿入部７１ｂ，７１ｃを押さえている。
【００８０】
冷却促進部７０は、複数の光変調ユニット４Ｒ，４Ｇ，４Ｂのそれぞれに設けられている。すなわち、冷媒保持部７１と固定部材７２とは、複数の光変調ユニット４Ｒ，４Ｇ，４Ｂのそれぞれに設けられている。図９に示すように、各光変調ユニット４Ｒ，４Ｇ，４Ｂのうち、光変調ユニット４Ｇに設けられた冷媒保持部７１Ｇは、冷媒伝送部５０と接続されている。より詳細には、冷媒保持部７１Ｇの下端部には、冷媒伝送部５０の接続部５４が接続されている。
【００８１】
光変調ユニット４Ｂに取り付けられた冷媒保持部７１Ｂおよび光変調ユニット４Ｒに取り付けられた冷媒保持部７１Ｒは、接続部５４が接続されていない点を除いて、光変調ユニット４Ｇに取り付けられた冷媒保持部７１Ｇと同様である。
【００８２】
本実施形態においては、複数の光変調ユニット４Ｒ，４Ｇ，４Ｂに設けられた冷媒保持部７１同士を互いに連結する多孔質部材製の連結部７３ａ，７３ｂが設けられている。本実施形態では、光変調ユニット４Ｇに取り付けられた冷媒保持部７１Ｇの両側に、連結部７３ａ，７３ｂを介して、光変調ユニット４Ｂに取り付けられた冷媒保持部７１Ｂと、光変調ユニット４Ｒに取り付けられた冷媒保持部７１Ｒとが連結されている。
【００８３】
連結部７３ａは、光変調ユニット４Ｇに取り付けられた冷媒保持部７１Ｇと光変調ユニット４Ｂに取り付けられた冷媒保持部７１Ｂとを連結している。これにより、冷媒保持部７１Ｂは、冷媒保持部７１Ｇを介して冷媒伝送部５０（接続部５４）と接続されている。図６に示すように、連結部７３ａには、連結部７３ａを覆う被覆部７４が設けられている。被覆部７４は、例えば、樹脂製のフィルム等である。
【００８４】
連結部７３ｂは、光変調ユニット４Ｇに取り付けられた冷媒保持部７１と光変調ユニット４Ｒに取り付けられた冷媒保持部７１とを連結している。これにより、冷媒保持部７１Ｒは、冷媒保持部７１Ｇを介して冷媒伝送部５０（接続部５４）と接続されている。図示は省略するが、連結部７３ｂにも、連結部７３ａと同様に被覆部７４が設けられている。
【００８５】
冷媒生成部２０によって生成された冷媒Ｗは、冷媒伝送部５０の接続部５４によって、冷媒保持部７１Ｇに伝送される。冷媒保持部７１Ｇに伝送された冷媒Ｗは、連結部７３ａを介して冷媒保持部７１Ｂに伝送され、かつ、連結部７３ｂを介して冷媒保持部７１Ｒに伝送される。このようにして、冷媒生成部２０で生成された冷媒Ｗが、３つの光変調ユニット４Ｒ，４Ｇ，４Ｂに伝送される。そして、伝送され冷媒保持部７１に保持された冷媒Ｗが気化することで、冷却対象である光変調ユニット４Ｒ，４Ｇ，４Ｂが冷却される。
【００８６】
本実施形態によれば、冷却装置１０は、冷媒生成部２０で生成した冷媒Ｗを冷媒伝送部５０によって冷却対象へと伝送し、吸熱反応である冷媒Ｗの気化を利用することで冷却対象から熱を奪って冷却対象を冷却することができる。冷媒Ｗの気化による冷却は、積極的に冷却対象から熱を奪えるため、空冷および液冷のように単に冷媒への伝熱によって冷却対象を冷却する場合に比べて、冷却性能に優れている。これにより、空冷および液冷と同じ冷却性能を得る場合に、空冷および液冷に比べて冷却装置１０全体を小型化しやすい。
【００８７】
また、冷媒Ｗの気化による冷却の場合、気化する冷媒Ｗが冷却対象と接触する表面積を大きくすることで冷却性能を向上できる。そのため、冷却装置１０による冷却性能を大きくしても、騒音が大きくなることを抑制できる。以上により、本実施形態によれば、冷却性能に優れ、かつ、小型で静粛性に優れた冷却装置１０を備えたプロジェクター１が得られる。
【００８８】
また、本実施形態によれば、冷媒生成部２０において冷媒Ｗを生成できるため、使用者が冷媒Ｗを補充する手間がなく、使用者の利便性を向上できる。また、冷媒生成部２０によって、冷媒Ｗを必要なときに必要な分だけ生成することが調整可能であるため、貯蔵タンク等に冷媒Ｗを溜めておく必要がなく、プロジェクター１の重量を軽くできる。
【００８９】
また、本実施形態によれば、吸放湿部材４０によって第１送風装置６０から送られる空気ＡＲ１に含まれた水蒸気を吸湿でき、吸放湿部材４０によって吸湿した水分を第２送風装置２３によって送られる空気ＡＲ２内に水蒸気として放湿できる。そして、熱交換部３０によって、空気ＡＲ２に水蒸気として放湿された水分を凝縮させて冷媒Ｗを生成することができる。これにより、本実施形態によれば、プロジェクター１内の雰囲気中から冷媒Ｗを生成することができる。
【００９０】
また、本実施形態によれば、吸放湿部材４０が固定されている。そのため、例えば、吸放湿部材４０を回転させる駆動部を設ける必要がなく、冷媒生成部２０の消費電力を低減できる。また、第１送風装置６０はプロジェクター１の外部の空気を吸放湿部材４０に送るため、第１送風装置６０としてプロジェクター１の吸気ファンを利用できる。これにより、別途送風装置を設けずに冷媒Ｗを生成することができる。したがって、プロジェクター１の部品点数が増加することを抑制できる。また、送風装置の数が増加することを抑制できるため、プロジェクター１から生じる騒音が大きくなることを抑制できる。
【００９１】
また、例えば、冷媒生成部２０において、第２送風装置２３から熱交換部３０に送られる空気ＡＲ２の湿度が比較的低い場合、熱交換部３０が冷却されても、冷媒Ｗが生成されにくい場合がある。熱交換部３０に送られる空気ＡＲ２の湿度は、例えば、プロジェクター１の外部の空気等が混ざり込むような場合に、低下する場合がある。
【００９２】
これに対して、本実施形態によれば、吸放湿部材４０は、第１方向Ｄ１に空気ＡＲ１が流通可能な第１層４１と、第１方向Ｄ１と交差する第２方向Ｄ２に空気ＡＲ２が流通可能な第２層４２と、が積層されて構成されている。そのため、吸放湿部材４０を第１方向Ｄ１に通過する空気ＡＲ１が流れる流路と、吸放湿部材４０を第２方向Ｄ２に通過する空気ＡＲ２が流れる流路と、を分けることができる。これにより、空気ＡＲ２に、空気ＡＲ１等のプロジェクター１の外部の空気が混ざることを抑制でき、空気ＡＲ２の湿度が低下することを抑制できる。したがって、熱交換部３０を冷却することで、好適に冷媒Ｗを生成することができる。また、プロジェクター１の外部の空気に含まれる異物が空気ＡＲ２に混ざることを抑制できる。
【００９３】
具体的に、本実施形態では、吸湿流路部２１ｂの内部と放湿流路部２５ｂの内部とが互いに遮断された状態で、吸湿流路部２１ｂと放湿流路部２５ｂとが吸放湿部材４０を通過するように配置されている。第１層４１における貫通孔４１ａの第１方向Ｄ１の両端部は吸湿流路部２１ｂの内部に開口しており、貫通孔４１ａは、放湿流路部２５ｂの内部には開口していない。第２層４２における貫通孔４２ａの第１方向Ｄ１の両端部は放湿流路部２５ｂの内部に開口しており、貫通孔４２ａは、吸湿流路部２１ｂの内部には開口していない。
【００９４】
そのため、吸湿流路部２１ｂの内部を流れる空気ＡＲ１は、吸湿流路部２１ｂの内部において第１層４１の貫通孔４１ａを介して吸放湿部材４０を第１方向Ｄ１に通過する一方、吸放湿部材４０を通過して放湿流路部２５ｂに流入することは抑制される。また、放湿流路部２５ｂの内部を流れる空気ＡＲ２は、放湿流路部２５ｂの内部において第２層４２の貫通孔４２ａを介して吸放湿部材４０を第２方向Ｄ２に通過する一方、吸放湿部材４０を通過して吸湿流路部２１ｂに流入することは抑制される。このようにして、本実施形態によれば、異なる空気ＡＲ１，ＡＲ２を吸放湿部材４０に通しつつ、異なる空気ＡＲ１，ＡＲ２が互いに混ざることを抑制できる。
【００９５】
また、本実施形態によれば、吸放湿部材４０は、複数の第１層４１と複数の第２層４２とが、交互に積層されて構成されている。そのため、空気ＡＲ１が通過することで第１層４１に吸湿された水分が、隣り合う第２層４２に移動しやすい。これにより、第２層４２が水分を含んだ状態となりやすく、空気ＡＲ２を第２層４２に通すことで、空気ＡＲ２に水蒸気が放湿されやすい。したがって、空気ＡＲ２に好適に水分を含ませることができ、好適に冷媒Ｗを生成することができる。
【００９６】
また、本実施形態によれば、熱交換部３０は、第１送風装置６０から放出され、吸放湿部材４０の第１層４１を通過した空気ＡＲ１によって冷却される。そのため、熱交換部３０を冷却する冷却部を別途設ける必要がなく、プロジェクター１の部品点数が増加することを抑制できる。また、熱交換部３０を冷却する冷却部として送風装置を別途設けるような場合に比べて、プロジェクター１から生じる騒音が大きくなることを抑制できる。
【００９７】
また、本実施形態によれば、第１送風装置６０は、冷却対象である光変調ユニット４Ｒ，４Ｇ，４Ｂに空気ＡＲ１を送る。そのため、空気ＡＲ１によって光変調ユニット４Ｒ，４Ｇ，４Ｂに伝送された冷媒Ｗを気化させやすく、光変調ユニット４Ｒ，４Ｇ，４Ｂをより冷却することができる。また、冷却対象を冷却する送風装置を別途設ける必要がないため、プロジェクター１の部品点数が増加することを抑制でき、騒音が大きくなることを抑制できる。
【００９８】
また、上述したように、本実施形態では、プロジェクター１の内部に外部の空気を取り込む吸気ファンである第１送風装置６０を利用して、冷却対象に送られた冷媒Ｗの気化を促進させる。そのため、第１送風装置６０の出力を低くしても、冷却装置１０が設けられていないときと同等の冷却性能を得ることが可能である。したがって、吸気ファンである第１送風装置６０の出力を低くして、第１送風装置６０から生じる騒音を低減することができ、プロジェクター１の静粛性をより向上できる。
【００９９】
また、本実施形態によれば、加熱部２２は、吸放湿部材４０を通過する前の空気を加熱する加熱本体部２２ａと、第２送風装置２３と、を有する。そのため、加熱部２２は、第２送風装置２３によって吸放湿部材４０に空気ＡＲ２を送ることで、吸放湿部材４０を加熱することができる。これにより、加熱本体部２２ａを吸放湿部材４０から離れた位置に配置しても、加熱部２２によって吸放湿部材４０を加熱することができる。したがって、加熱部２２の構成の自由度を向上させることができる。
【０１００】
また、本実施形態によれば、冷媒生成部２０は、第２送風装置２３から放出された空気ＡＲ２が循環する循環経路２７を有する。そのため、循環経路２７を密閉することで循環経路２７内にプロジェクター１の外部の空気が入ることを抑制でき、熱交換部３０に送られる空気ＡＲ２の湿度を比較的高い状態に維持しやすい。したがって、熱交換部３０を冷却することで、好適に冷媒Ｗを生成することができる。
【０１０１】
本実施形態では、上述したように、異なる空気ＡＲ１，ＡＲ２の流れる流路を分けつつ、吸放湿部材４０に異なる空気ＡＲ１，ＡＲ２のそれぞれを通過させることができる。そのため、循環経路２７を密閉しても、吸放湿部材４０に第１送風装置６０からの空気ＡＲ１と第２送風装置２３からの空気ＡＲ２とを通過させることができる。したがって、循環経路２７を精度よく密閉して、空気ＡＲ２の湿度をより好適に維持することができる。したがって、熱交換部３０を冷却することで、より好適に冷媒Ｗを生成することができる。また、循環経路２７を精度よく密閉できることで、循環経路２７内に異物が入ることをより抑制できる。
【０１０２】
また、本実施形態によれば、冷媒伝送部５０は、毛細管現象によって冷媒Ｗを伝送する。そのため、冷媒Ｗを伝送するためにポンプ等の動力を別途用意する必要がない。これにより、プロジェクター１の部品点数が増加することを抑制でき、プロジェクター１をより小型・軽量化しやすい。
【０１０３】
また、本実施形態によれば、冷媒伝送部５０は、冷媒生成部２０と冷却対象とを接続する多孔質部材製の接続部５４を有する。そのため、冷媒Ｗを接続部５４に吸収させて毛細管現象によって伝送することができる。
【０１０４】
また、本実施形態によれば、冷媒伝送部５０は、第２蓋部３３の内部に設けられた第２捕捉部５２を有する。第２捕捉部５２は、接続部５４と接続されている。そのため、第２蓋部３３の内部に溜まった冷媒Ｗを第２捕捉部５２で吸収して毛細管現象によって接続部５４に伝送することができる。これにより、生成した冷媒Ｗを無駄なく冷却対象へと送りやすい。
【０１０５】
また、本実施形態によれば、冷媒伝送部５０は、第１蓋部３２の内部に設けられた第１捕捉部５１と、第１捕捉部５１と第２捕捉部５２とを接続する第３捕捉部５３と、を有する。これにより、第１蓋部３２の内部に溜まった冷媒Ｗを第１捕捉部５１で吸収して、毛細管現象によって第３捕捉部５３を介して第２捕捉部５２に伝送することができる。したがって、第１蓋部３２の内部に溜まった冷媒Ｗを第２捕捉部５２から接続部５４に伝送して、冷却対象に伝送することができる。そのため、生成した冷媒Ｗをより無駄なく冷却対象へと送りやすい。
【０１０６】
また、本実施形態によれば、第３捕捉部５３は、配管部３１ａの内部を通る。そのため、配管部３１ａの内部に溜まった冷媒Ｗを第３捕捉部５３で吸収して、第２捕捉部５２および接続部５４を介して冷却対象へと伝送することができる。したがって、生成した冷媒Ｗをより無駄なく冷却対象へと送りやすい。
【０１０７】
また、本実施形態によれば、接続部５４の幅は、例えば、第１捕捉部５１の幅、第２捕捉部５２の幅、および第３捕捉部５３の幅よりも大きい。そのため、接続部５４の幅を比較的大きくしやすく、接続部５４によって伝送できる冷媒Ｗの量を多くできる。したがって、冷媒伝送部５０によって冷媒Ｗを冷却対象に送りやすく、冷却対象をより冷却しやすい。
【０１０８】
また、一方で、第１捕捉部５１の幅、第２捕捉部５２の幅、および第３捕捉部５３の幅を比較的小さくしやすい。そのため、第１捕捉部５１と第２捕捉部５２と第３捕捉部５３とによって保持される冷媒Ｗの量を少なくできる。これにより、第１捕捉部５１と第２捕捉部５２と第３捕捉部５３とによって保持されたまま、熱交換部３０の内部に残る冷媒Ｗの量を少なくでき、生成した冷媒Ｗをより無駄なく冷却対象へと送りやすい。
【０１０９】
また、本実施形態によれば、冷却対象である光変調ユニット４Ｒ，４Ｇ，４Ｂに設けられ、冷媒Ｗを保持する冷媒保持部７１が設けられる。そのため、光変調ユニット４Ｒ，４Ｇ，４Ｂに伝送された冷媒Ｗを、冷媒Ｗが気化するまで冷媒保持部７１によって光変調ユニット４Ｒ，４Ｇ，４Ｂに対して保持しておくことができる。これにより、生成した冷媒Ｗを無駄なく利用しやすく、冷却装置１０の冷却性能をより向上させることができる。
【０１１０】
また、本実施形態によれば、冷媒保持部７１は、冷却対象である光変調ユニット４Ｒ，４Ｇ，４Ｂの面に取り付けられ、かつ、多孔質部材製である。そして、冷媒保持部７１の少なくとも一部は、積層方向の冷媒保持部７１側から視て、露出している。そのため、冷媒保持部７１の露出した部分から冷媒Ｗを気化させやすく、冷却装置１０の冷却性能をより向上させることができる。また、冷媒保持部７１が多孔質部材製であるため、毛細管現象によって、冷媒保持部７１が設けられた冷却対象の面上に均一に冷媒Ｗを行き渡らせやすく、より冷却対象を冷却しやすい。
【０１１１】
また、例えば、接着剤によって冷媒保持部７１を保持フレーム８０に固定する場合、接着剤が冷媒保持部７１に吸収されて、多孔質部材製である冷媒保持部７１の孔が塞がれる場合がある。そのため、冷媒保持部７１に冷媒Ｗが吸収されにくくなり、冷媒保持部７１によって冷媒Ｗを保持しにくくなる場合がある。
【０１１２】
これに対して、本実施形態によれば、冷媒保持部７１を保持フレーム８０との間で挟んで固定する固定部材７２が設けられている。そのため、接着剤を冷媒保持部７１に付着させることなく、冷媒保持部７１を保持フレーム８０に対して固定することができる。これにより、冷媒保持部７１によって冷媒Ｗを保持しにくくなることを抑制できる。また、本実施形態では、固定部材７２は金属製である。そのため、固定部材７２は、熱伝導率が比較的高く、冷却されやすい。したがって、第１送風装置６０からの空気ＡＲ１および冷媒Ｗの気化によって固定部材７２の温度が低下しやすく、固定部材７２と接触する冷却対象をより冷却しやすい。
【０１１３】
また、本実施形態によれば、冷媒保持部７１は、保持フレーム８０における光変調装置４ＧＰに光が入射する側の面に設けられている。そのため、冷媒保持部７１から気化した冷媒Ｗの水蒸気が、光変調装置４ＧＰから光合成光学系５に射出される光に影響を与えることを抑制できる。これにより、プロジェクター１から投射される画像にノイズが生じることを抑制できる。
【０１１４】
また、本実施形態によれば、冷媒保持部７１は、複数設けられた光変調ユニット４Ｒ，４Ｇ，４Ｂにそれぞれ設けられ、複数の冷媒保持部７１同士を互いに連結する連結部７３ａ，７３ｂが設けられている。そのため、冷媒伝送部５０を１つの冷媒保持部７１に接続させることで、他の冷媒保持部７１にも冷媒Ｗを伝送することができる。これにより、プロジェクター１の内部における冷媒伝送部５０の引き回しを簡単化できる。
【０１１５】
また、本実施形態によれば、連結部７３ａ，７３ｂには、連結部７３ａを覆う被覆部７４が設けられている。そのため、連結部７３ａ，７３ｂを伝って移動する冷媒Ｗが連結部７３ａ，７３ｂにおいて気化することを抑制できる。これにより、冷媒Ｗが冷却対象である光変調ユニット４Ｒ，４Ｇ，４Ｂの冷却に寄与せずに気化することを抑制でき、生成した冷媒Ｗが無駄になることを抑制できる。
【０１１６】
なお、本実施形態においては、連結部７３ａ，７３ｂと同様に、接続部５４が被覆されていてもよい。この構成によれば、冷却対象に伝送する間に冷媒Ｗが気化することを抑制できる。そのため、冷却対象に効率よく冷媒Ｗを伝送でき、かつ、生成した冷媒Ｗが無駄になることをより抑制できる。接続部５４および連結部７３ａ，７３ｂは、例えば、チューブ等によって周囲を被覆されてもよい。また、接続部５４および連結部７３ａ，７３ｂは、表面に気化を抑制するコーティング処理が施されてもよい。
【０１１７】
なお、本実施形態においては、下記の構成を採用することもできる。以下の説明において、上記と同様の構成については、適宜同一の符号を付す等により説明を省略する場合がある。
【０１１８】
［第１実施形態の変形例］
図１０は、本変形例の冷媒生成部１２０の一部を示す斜視図である。本変形例において吸湿ダクト１２１の吸湿流路部１２１ｂは、図４に示した吸湿流路部２１ｂと異なり、図１０に示すように、第１方向Ｄ１と直交する断面形状が矩形状である。
【０１１９】
本変形例の冷媒生成部１２０は、第２吸湿ダクト１２９をさらに有する。第２吸湿ダクト１２９は、第２吸湿流路部１２９ｂを有する。第２吸湿流路部１２９ｂは、第３方向Ｄ３と直交し、かつ、第１方向Ｄ１および第２方向Ｄ２の両方と交差する方向に延びている。第２吸湿流路部１２９ｂは、吸湿流路部１２１ｂと放湿流路部２５ｂとが交差する部分において、吸湿流路部１２１ｂおよび放湿流路部２５ｂと交差している。第２吸湿ダクト１２９には、空気ＡＲ１ａが流入される。空気ＡＲ１ａは、例えば、第１送風装置６０と異なる送風装置によってプロジェクターの外部から吸気される空気である。
【０１２０】
本変形例の吸放湿部材１４０は、吸湿流路部１２１ｂと放湿流路部２５ｂと第２吸湿流路部１２９ｂとが交差する部分の内部に固定されている。吸放湿部材１４０は、例えば、第３方向Ｄ３に延びる正六角柱状である。吸放湿部材１４０は、各流路部が交差する部分の内部に充填されており、吸湿流路部１２１ｂの内部と放湿流路部２５ｂの内部と第２吸湿流路部１２９ｂの内部とを互いに遮断している。吸放湿部材１４０は、第１層４１と、第２層４２と、第３層１４３と、が第３方向Ｄ３に積層されて構成されている。第１層４１と第２層４２と第３層１４３とは、それぞれ複数ずつ（図では２つずつ）設けられている。第１層４１と第２層４２と第３層１４３とは、この順に交互に積層されている。
【０１２１】
第３層１４３は、第３層１４３を第２吸湿流路部１２９ｂが延びる方向に貫通する無数の貫通孔１４３ａを有し、貫通孔１４３ａを介して第２吸湿流路部１２９ｂが延びる方向に空気が流通可能である。第３層１４３の貫通孔１４３ａは、第２吸湿流路部１２９ｂが延びる方向の両側の端部が第２吸湿流路部１２９ｂの内部に開口している。第３層１４３は、貫通孔１４３ａを介して空気ＡＲ１ａが通されることで、空気ＡＲ１ａに含まれる水蒸気を吸湿する。
【０１２２】
本変形例によれば、吸放湿部材１４０は、空気中から水分を吸湿する層として、第１層４１と第３層１４３とを有する。そのため、空気ＡＲ１と空気ＡＲ１ａとから吸放湿部材１４０に水分を吸湿させることができる。これにより、吸放湿部材１４０に水分を吸湿させやすく、冷媒Ｗを好適に生成することができる。
【０１２３】
なお、上記説明においては、水分を吸湿する層である第１層４１と第３層１４３とが隣り合って積層される箇所がある構成としたが、これに限られない。各層を積層する順番、各層の数等は、特に限定されない。例えば、水分を吸湿する層である第１層４１または第３層１４３のいずれかと、水分を放湿する層である第２層４２とが、交互に積層されてもよい。また、同じ層が複数連続して積層されてもよい。また、第２層４２の他に、水分を放湿する層を設けてもよい。
【０１２４】
また、第１層４１と第２層４２とにおける空気が流通する方向は、互いに直交する方向としたが、これに限られない。第１層４１と第２層４２とにおける空気が流通する方向は、互いに交差しているならば、特に限定されない。
【０１２５】
＜第２実施形態＞
第２実施形態は、第１実施形態に対して、冷媒生成部の構成が異なる。なお、上記と同様の構成については、適宜同一の符号を付す等により説明を省略する場合がある。図１１および図１２は、本実施形態の冷媒生成部２２０を模式的に示す概略構成図である。
【０１２６】
本実施形態において冷媒生成部２２０は、図１１および図１２に示すように、循環ダクト２２６と、緩衝部２９３と、流路切換部２９０ａ，２９０ｂと、第３送風装置２６０と、を有する。循環ダクト２２６は、吸放湿流路部２２６ａと、第１流路部２２６ｂと、第２流路部２２６ｃと、第３流路部２２６ｄと、第４流路部２２６ｅと、を有する。吸放湿流路部２２６ａは、一方向に沿って延びている。以下の説明においては、吸放湿流路部２２６ａが延びる一方向を「第４方向Ｄ４」と呼び、図１１および図１２においてＤ４軸で示す。また、吸放湿流路部２２６ａにおいて、Ｄ４軸の負の側（−Ｄ４側）を「上流側」と呼び、Ｄ４軸の正の側（＋Ｄ４側）を「下流側」と呼ぶ。
【０１２７】
吸放湿流路部２２６ａの第４方向Ｄ４の両端部は、開口している。吸放湿流路部２２６ａの内部には、吸放湿部材２４０が固定されている。本実施形態において吸放湿部材２４０は、吸放湿性を有する多孔質部材であり、第４方向Ｄ４に空気が流通可能である。
【０１２８】
第１流路部２２６ｂは、吸放湿流路部２２６ａの上流側（−Ｄ４側）の端部に接続されている。第１流路部２２６ｂは、吸放湿流路部２２６ａの上流側の端部に繋がる第１開口２２６ｆを有する。第１流路部２２６ｂには、第１送風装置６０からの空気ＡＲ１が流入する。第１流路部２２６ｂに流入した空気ＡＲ１は、第１開口２２６ｆに向かって流れる。すなわち、本実施形態において第１送風装置６０は、第１流路部２２６ｂの内部を介して第１開口２２６ｆに向けて空気ＡＲ１を送る。
【０１２９】
第２流路部２２６ｃは、吸放湿流路部２２６ａの上流側（−Ｄ４側）の端部に接続されている。第２流路部２２６ｃは、吸放湿流路部２２６ａの上流側の端部に繋がる第２開口２２６ｇを有する。第２流路部２２６ｃにおける吸放湿流路部２２６ａと接続された側と逆側の端部は、熱交換部３０に接続されている。第２流路部２２６ｃの内部には、加熱本体部２２ａが配置されている。
【０１３０】
第１流路部２２６ｂと第２流路部２２６ｃとのそれぞれにおける吸放湿流路部２２６ａと接続された側の端部は、第４方向Ｄ４と直交する方向（図の左右方向）に並んで配置され、吸放湿流路部２２６ａから上流側（−Ｄ４側）に向かってＹ字状に二股に分かれている。第１流路部２２６ｂと第２流路部２２６ｃとのそれぞれにおける吸放湿流路部２２６ａと接続された側の端部は、互いに接続されている。
【０１３１】
第３流路部２２６ｄは、吸放湿流路部２２６ａの下流側（＋Ｄ４側）の端部に接続されている。第３流路部２２６ｄは、吸放湿流路部２２６ａの下流側の端部に繋がる第３開口２２６ｈを有する。第３流路部２２６ｄにおける吸放湿流路部２２６ａと接続された側と逆側の端部は、例えば、冷却対象である光変調ユニット４Ｒ，４Ｇ，４Ｂまで延びている。
【０１３２】
第４流路部２２６ｅは、吸放湿流路部２２６ａの下流側（＋Ｄ４側）の端部に接続されている。第４流路部２２６ｅは、吸放湿流路部２２６ａの下流側の端部に繋がる第４開口２２６ｉを有する。第４流路部２２６ｅにおける吸放湿流路部２２６ａと接続された側と逆側の端部は、熱交換部３０に接続されている。これにより、第２流路部２２６ｃと第４流路部２２６ｅとは、熱交換部３０を介して接続されている。第４流路部２２６ｅの内部には、第２送風装置２３が配置されている。
【０１３３】
図１２に示すように、第２送風装置２３によって、第４流路部２２６ｅの内部には空気ＡＲ２が流入する。第４流路部２２６ｅの内部の空気ＡＲ２は、熱交換部３０を介して第２流路部２２６ｃに流入する。第２流路部２２６ｃに流入した空気ＡＲ２は、第２開口２２６ｇに向かって流れる。すなわち、本実施形態において第２送風装置２３は、第２流路部２２６ｃの内部を介して第２開口２２６ｇに向けて空気ＡＲ２を送る。
【０１３４】
第３流路部２２６ｄと第４流路部２２６ｅとのそれぞれにおける吸放湿流路部２２６ａと接続された側の端部は、第４方向Ｄ４と直交する方向（図の左右方向）に並んで配置され、吸放湿流路部２２６ａから下流側（＋Ｄ４側）に向かってＹ字状に二股に分かれている。第３流路部２２６ｄと第４流路部２２６ｅとのそれぞれにおける吸放湿流路部２２６ａと接続された側の端部は、互いに接続されている。図の左右方向において、第４流路部２２６ｅに対して第３流路部２２６ｄが配置されている側（図の左側）は、第２流路部２２６ｃに対して第１流路部２２６ｂが配置されている側と同じである。
【０１３５】
流路切換部２９０ａは、第１流路部２２６ｂと第２流路部２２６ｃとの接続部分における角部の内側面に設けられたヒンジ部２９２ａと、循環ダクト２２６の内部においてヒンジ部２９２ａを支点として回動する閉塞蓋部２９１ａと、を有する。閉塞蓋部２９１ａは、回動することで、図１１に示すように第２開口２２６ｇを閉塞する状態と、図１２に示すように第１開口２２６ｆを閉塞する状態と、が切り換えられる。これにより、流路切換部２９０ａは、切り換え可能に第１開口２２６ｆと第２開口２２６ｇとのうちの一方を閉塞する。
【０１３６】
流路切換部２９０ｂは、第３流路部２２６ｄと第４流路部２２６ｅとの接続部分における角部の内側面に設けられたヒンジ部２９２ｂと、循環ダクト２２６の内部においてヒンジ部２９２ｂを支点として回動する閉塞蓋部２９１ｂと、を有する。閉塞蓋部２９１ｂは、回動することで、図１１に示すように第４開口２２６ｉを閉塞する状態と、図１２に示すように第３開口２２６ｈを閉塞する状態と、が切り換えられる。これにより、流路切換部２９０ｂは、切り換え可能に第３開口２２６ｈと第４開口２２６ｉとのうちの一方を閉塞する。
【０１３７】
図１１では、流路切換部２９０ａによって第２開口２２６ｇが閉塞され、流路切換部２９０ｂによって第４開口２２６ｉが閉塞された場合を示している。この場合、第１開口２２６ｆおよび第３開口２２６ｈは開放され、第１流路部２２６ｂと吸放湿流路部２２６ａと第３流路部２２６ｄとが接続されて、吸湿経路２２８が構成される。これにより、第１流路部２２６ｂに流入する第１送風装置６０からの空気ＡＲ１は、第１開口２２６ｆから吸放湿流路部２２６ａに流入して、吸放湿部材２４０を第４方向Ｄ４に通過し、第３開口２２６ｈから第３流路部２２６ｄに流入する。
【０１３８】
上述したように第３流路部２２６ｄは、冷却対象である光変調ユニット４Ｒ，４Ｇ，４Ｂまで延びているため、第３流路部２２６ｄに流入した空気ＡＲ１は、冷却対象である光変調ユニット４Ｒ，４Ｇ，４Ｂに送られる。すなわち、流路切換部２９０ａによって第２開口２２６ｇが閉塞され第１開口２２６ｆが開放されている場合、第１送風装置６０から送られた空気ＡＲ１は、第１開口２２６ｆから吸放湿流路部２２６ａに流入して吸放湿部材２４０を通過し、冷却対象に送られる。
【０１３９】
一方、図１２では、流路切換部２９０ａによって第１開口２２６ｆが閉塞され、流路切換部２９０ｂによって第３開口２２６ｈが閉塞された場合を示している。この場合、第２流路部２２６ｃと吸放湿流路部２２６ａと第４流路部２２６ｅと熱交換部３０とが接続されて、循環経路２２７が構成される。これにより、第２送風装置２３によって送られる空気ＡＲ２が、第４流路部２２６ｅから、熱交換部３０を介して第２流路部２２６ｃに流入し、第２開口２２６ｇから吸放湿流路部２２６ａに流入する。そして、空気ＡＲ２は、吸放湿部材２４０を第４方向Ｄ４に通過し、第４開口２２６ｉから再び第４流路部２２６ｅに戻り、第２送風装置２３に吸気される。
【０１４０】
このように、流路切換部２９０ａによって第１開口２２６ｆが閉塞され第２開口２２６ｇが開放されている場合、第２送風装置２３から送られた空気ＡＲ２は、第２開口２２６ｇから吸放湿流路部２２６ａに流入して吸放湿部材２４０を通過し、熱交換部３０に流入する。循環経路２２７は、密閉されている。
【０１４１】
本実施形態において流路切換部２９０ａは、第１送風装置６０から第１開口２２６ｆに向けて送られる空気ＡＲ１の流量と第２送風装置２３から第２開口２２６ｇに向けて送られる空気の流量とに基づいて、第１開口２２６ｆおよび第２開口２２６ｇの閉塞を切り換える。
【０１４２】
流路切換部２９０ａは、第１送風装置６０から第１開口２２６ｆに向けて送られる空気ＡＲ１の流量が第２送風装置２３から第２開口２２６ｇに向けて送られる空気ＡＲ２の流量よりも大きい場合に、第２開口２２６ｇを閉塞する。例えば、図１２に示す状態から、第１開口２２６ｆに向けて送られる空気ＡＲ１の流量を大きくしていくと、空気ＡＲ１によって閉塞蓋部２９１ａに加えられる力が大きくなる。そして、空気ＡＲ１の流量が空気ＡＲ２の流量よりも大きくなると、空気ＡＲ１によって閉塞蓋部２９１ａに加えられる力が、空気ＡＲ２によって閉塞蓋部２９１ａに加えられる力よりも大きくなる。これにより、第１開口２２６ｆを閉塞していた閉塞蓋部２９１ａが、図１１に示すように、ヒンジ部２９２ａを中心として回動し、第２開口２２６ｇを閉塞する。
【０１４３】
一方、流路切換部２９０ａは、第２送風装置２３から第２開口２２６ｇに向けて送られる空気ＡＲ２の流量が第１送風装置６０から第１開口２２６ｆに向けて送られる空気ＡＲ１の流量よりも大きい場合に、第１開口２２６ｆを閉塞する。例えば、図１１に示す状態から、第２開口２２６ｇに向けて送られる空気ＡＲ２の流量を大きくしていくと、空気ＡＲ２によって閉塞蓋部２９１ａに加えられる力が大きくなる。そして、空気ＡＲ２の流量が空気ＡＲ１の流量よりも大きくなると、空気ＡＲ２によって閉塞蓋部２９１ａに加えられる力が、空気ＡＲ１によって閉塞蓋部２９１ａに加えられる力よりも大きくなる。これにより、第２開口２２６ｇを閉塞していた閉塞蓋部２９１ａが、図１２に示すように、ヒンジ部２９２ａを中心として回動し、第１開口２２６ｆを閉塞する。
【０１４４】
以上のように、本実施形態では、第１送風装置６０からの空気ＡＲ１の流量と第２送風装置２３からの空気ＡＲ２の流量とを調整することで、流路切換部２９０ａが閉塞する開口を第１開口２２６ｆと第２開口２２６ｇとの間で切り換えることができる。
【０１４５】
本実施形態においては、第１送風装置６０および第２送風装置２３は、第１送風装置６０から放出される空気ＡＲ１の流量と第２送風装置２３から放出される空気ＡＲ２の流量との合計が一定になるように制御される。そのため、例えば、上述したようにして空気ＡＲ１の流量と空気ＡＲ２の流量とのうちの一方を増加させていく場合、一方の空気の流量が増加するのに従って、他方の空気の流量は減少する。本実施形態においては、例えば、第２開口２２６ｇおよび第４開口２２６ｉが閉塞され第１開口２２６ｆおよび第３開口２２６ｈが開放された場合に、第２送風装置２３からの空気ＡＲ２の流量が０になるように、すなわち第２送風装置２３からの送風が停止するように、各空気の流量が制御される。
【０１４６】
流路切換部２９０ｂは、上述した流路切換部２９０ａの切り換えに連動する。具体的には、流路切換部２９０ｂは、流路切換部２９０ａが第１開口２２６ｆを閉塞する状態から第２開口２２６ｇを閉塞する状態に切り換わった場合、第３開口２２６ｈを閉塞する状態から第４開口２２６ｉを閉塞する状態に切り換わる。一方、流路切換部２９０ｂは、流路切換部２９０ａが第２開口２２６ｇを閉塞する状態から第１開口２２６ｆを閉塞する状態に切り換わった場合、第４開口２２６ｉを閉塞する状態から第３開口２２６ｈを閉塞する状態に切り換わる。
【０１４７】
緩衝部２９３は、吸放湿流路部２２６ａと第１流路部２２６ｂとが接続される角部の内側面と、吸放湿流路部２２６ａと第２流路部２２６ｃとが接続される角部の内側面と、吸放湿流路部２２６ａと第３流路部２２６ｄとが接続される角部の内側面と、吸放湿流路部２２６ａと第４流路部２２６ｅとが接続される角部の内側面と、に設けられている。緩衝部２９３は、弾性部材である。緩衝部２９３は、例えば、ゴム製である。各緩衝部２９３には、各開口を閉塞した状態における閉塞蓋部２９１ａ，２９１ｂの先端部が接触する。
【０１４８】
第３送風装置２６０は、熱交換部３０を冷却する。第３送風装置２６０は、熱交換部３０を冷却できるならば、特に限定されず、軸流ファンであっても、遠心ファンであってもよい。本実施形態において第３送風装置２６０は、流路切換部２９０ａの切り換えに基づいて制御される。具体的には、図１２に示すように、第３送風装置２６０は、流路切換部２９０ａが第１開口２２６ｆを閉塞し第２開口２２６ｇを開放する場合に、空気ＡＲ３を熱交換部３０に送り、熱交換部３０を冷却する。一方、図１１に示すように、第３送風装置２６０は、流路切換部２９０ａが第２開口２２６ｇを閉塞し第１開口２２６ｆを開放する場合に、送風を停止し、熱交換部３０の冷却を停止する。
【０１４９】
上述した各送風装置の制御は、図示しない制御部によって行われる。図示しない制御部は、プロジェクターの冷媒生成部以外の部分を制御する制御部であってもよいし、冷媒生成部２２０に対して別途設けられた制御部であってもよい。
【０１５０】
まず、制御部は、第１送風装置６０から第１流路部２２６ｂに流入する空気ＡＲ１の流量を第２送風装置２３から第２流路部２２６ｃに流入する空気ＡＲ２の流量よりも大きくすることで、流路切換部２９０ａ，２９０ｂを切り換え、図１１に示すように、第２開口２２６ｇおよび第４開口２２６ｉが閉塞され、第１開口２２６ｆおよび第３開口２２６ｈが開放された状態にする。これにより、吸湿経路２２８が構成され、第１送風装置６０からの空気ＡＲ１が吸放湿部材２４０を通過する。したがって、空気ＡＲ１に含まれる水蒸気が吸放湿部材２４０に吸湿される。
【０１５１】
次に、制御部は、第２送風装置２３から第２流路部２２６ｃに流入する空気ＡＲ２の流量を第１送風装置６０から第１流路部２２６ｂに流入する空気ＡＲ１の流量よりも大きくすることで、流路切換部２９０ａ，２９０ｂを切り換え、図１２に示すように、第１開口２２６ｆおよび第３開口２２６ｈが閉塞され、第２開口２２６ｇおよび第４開口２２６ｉが開放された状態にする。これにより、密閉された循環経路２２７が構成され、加熱本体部２２ａによって加熱された空気ＡＲ２が吸放湿部材２４０を通過する。したがって、吸放湿部材２４０に吸湿されていた水分が空気ＡＲ２に放湿される。吸放湿部材２４０から水分が放湿された空気ＡＲ２は、熱交換部３０に流入する。
【０１５２】
制御部は、流路切換部２９０ａ，２９０ｂを切り換えて図１２に示すような状態にするとともに、第３送風装置２６０を制御して、空気ＡＲ３を熱交換部３０に送る。これにより、熱交換部３０の内部において空気ＡＲ２が冷却されて、冷媒Ｗが生成される。
【０１５３】
その後、制御部は、第１送風装置６０から第１流路部２２６ｂに流入する空気ＡＲ１の流量を第２送風装置２３から第２流路部２２６ｃに流入する空気ＡＲ２の流量よりも大きくすることで、流路切換部２９０ａ，２９０ｂを切り換えて、再び図１１に示す状態にする。これにより、吸放湿部材２４０に再び空気ＡＲ１に含まれる水蒸気を吸湿させる。このとき、制御部は、第３送風装置２６０を停止させる。
【０１５４】
以上のように、制御部は、第１送風装置６０および第２送風装置２３を制御し、流路切換部２９０ａ，２９０ｂによって図１１に示す状態と図１２に示す状態とを所定時間ごとに交互に切り換える。これにより、吸放湿部材２４０を通過する空気が空気ＡＲ１と空気ＡＲ２とに切り換わり、吸湿と放湿とを交互に繰り返すことで、冷媒Ｗが生成される。
【０１５５】
本実施形態によれば、吸放湿流路部２２６ａと繋がる第１開口２２６ｆおよび第２開口２２６ｇの一方を閉塞する流路切換部２９０ａが設けられている。そのため、流路切換部２９０ａによって第１開口２２６ｆおよび第２開口２２６ｇを閉塞と開放とに切り換えることができ、吸放湿流路部２２６ａに流入する空気を、吸放湿部材２４０に水分を吸湿させる第１送風装置６０からの空気ＡＲ１と、吸放湿部材２４０から水分が放湿される第２送風装置２３からの空気ＡＲ２と、に切り換えることができる。これにより、吸放湿流路部２２６ａの内部に固定された吸放湿部材２４０に対して吸湿と放湿とを交互に繰り返すことで、冷媒Ｗを生成することができる。
【０１５６】
また、吸放湿流路部２２６ａと繋がる流路部を第１流路部２２６ｂと第２流路部２２６ｃとに切り換えられるため、第２送風装置２３からの空気ＡＲ２が流れる第２流路部２２６ｃが吸放湿流路部２２６ａと繋がる場合には、第１送風装置６０からの空気ＡＲ１が流れる第１流路部２２６ｂを、吸放湿流路部２２６ａに繋げる必要がない。そのため、第２送風装置２３からの空気ＡＲ２が流れる第２流路部２２６ｃと吸放湿流路部２２６ａとを繋げて循環経路２２７を構成した場合に、循環経路２２７を密閉しやすい。したがって、第２送風装置２３から送られる空気ＡＲ２の湿度が低下することを抑制でき、冷媒Ｗを好適に生成できる。また、循環経路２２７内に異物が入ることを抑制できる。
【０１５７】
また、本実施形態によれば、流路切換部２９０ａは、第１送風装置６０から第１開口２２６ｆに向けて送られる空気ＡＲ１の流量と第２送風装置２３から第２開口２２６ｇに向けて送られる空気ＡＲ２とに基づいて、第１開口２２６ｆおよび第２開口２２６ｇの閉塞を切り換える。そのため、各送風装置から放出される空気の流量に応じて、適切に吸放湿流路部２２６ａに流入する空気を選択できる。
【０１５８】
また、本実施形態によれば、流路切換部２９０ａは、第１送風装置６０から第１開口２２６ｆに向けて送られる空気ＡＲ１の流量が第２送風装置２３から第２開口２２６ｇに向けて送られる空気ＡＲ２の流量よりも大きい場合に、第２開口２２６ｇを閉塞する。また、流路切換部２９０ａは、第２送風装置２３から第２開口２２６ｇに向けて送られる空気ＡＲ２の流量が第１送風装置６０から第１開口２２６ｆに向けて送られる空気ＡＲ１の流量よりも大きい場合に、第１開口２２６ｆを閉塞する。そのため、各空気の流量差を利用して、流路切換部２９０ａに力を加え、容易に流路切換部２９０ａを切り換えることができる。これにより、流路切換部２９０ａを切り換えるために別途駆動部等を設ける必要がなく、冷媒生成部２２０の消費電力を低減できる。
【０１５９】
また、本実施形態によれば、流路切換部２９０ａによって第２開口２２６ｇが閉塞され第１開口２２６ｆが開放されている場合、第１送風装置６０から送られた空気ＡＲ１は、吸放湿部材２４０を通過し、冷却対象に送られる。そのため、冷却対象をより冷却しやすい。
【０１６０】
また、本実施形態によれば、第１送風装置６０と第２送風装置２３とは、第１送風装置６０から放出される空気ＡＲ１の流量と第２送風装置２３から放出される空気ＡＲ２の流量との合計が一定になるように制御される。そのため、第１送風装置６０および第２送風装置２３から生じる騒音の大きさを一定にしやすい。これにより、第１送風装置６０および第２送風装置２３を制御して、上述した流路切換部２９０ａの切り換えを行った場合でも、騒音の大きさが変動することを抑制できる。
【０１６１】
また、本実施形態によれば、熱交換部３０を冷却する第３送風装置２６０が設けられている。そのため、第１送風装置６０から放出される空気ＡＲ１を引き回すことなく、容易に熱交換部３０を冷却することができる。
【０１６２】
また、本実施形態によれば、第３送風装置２６０は、流路切換部２９０ａの切り換えに基づいて制御される。そのため、例えば、流路切換部２９０ａによって第１開口２２６ｆが閉塞され第２開口２２６ｇが開放された場合には第３送風装置２６０から空気ＡＲ３を放出させて熱交換部３０を冷却し、流路切換部２９０ａによって第２開口２２６ｇが閉塞され第１開口２２６ｆが開放された場合には第３送風装置２６０を停止させることができる。これにより、第２送風装置２３からの空気ＡＲ２が熱交換部３０に流入する場合に、選択的に第３送風装置２６０を駆動させることができる。したがって、第３送風装置２６０の消費電力を低減できる。また、吸放湿部材２４０が第１送風装置６０からの空気ＡＲ１から水分を吸湿している際には、第３送風装置２６０が停止されるため、第３送風装置２６０から騒音が生じることがなく、プロジェクターから生じる騒音を低減できる。
【０１６３】
また、本実施形態によれば、閉塞蓋部２９１ａ，２９１ｂが各開口を閉塞する際に、閉塞蓋部２９１ａ，２９１ｂの先端部が接触する緩衝部２９３が設けられている。そのため、閉塞蓋部２９１ａ，２９１ｂが比較的大きい速度で回動しても、緩衝部２９３によって循環ダクト２２６の内側面に衝突する際の衝撃を吸収できる。これにより、流路切換部２９０ａ，２９０ｂが切り換わった際に、閉塞蓋部２９１ａ，２９１ｂが循環ダクト２２６の内側面に衝突して騒音が生じることを抑制できる。また、緩衝部２９３は弾性部材であるため、閉塞蓋部２９１ａ，２９１ｂと循環ダクト２２６の内側面との間を精度よく密封することができる。これにより、循環経路２２７を精度よく密閉することができる。
【０１６４】
なお、本実施形態においては、第１実施形態と同様に、第１送風装置６０から放出される空気ＡＲ１の一部を熱交換部３０に送り、熱交換部３０を冷却してもよい。この構成では、例えば、第１送風装置６０から放出される空気ＡＲ１のうちの一部は、第１流路部２２６ｂとは異なる流路を通って、熱交換部３０に吹き付けられる。この構成においては、第３送風装置２６０は、設けられていなくもよい。
【０１６５】
また、第１送風装置６０と第２送風装置２３と第３送風装置２６０とは、第１送風装置６０からの空気ＡＲ１の流量と第２送風装置２３からの空気ＡＲ２の流量と第３送風装置２６０からの空気ＡＲ３の流量との合計が一定になるように制御されてもよい。この構成によれば、プロジェクターから生じる騒音をより一定にしやすい。また、第３送風装置２６０は、第１送風装置６０からの空気ＡＲ１が吸放湿部材２４０に通されている間、停止されなくてもよい。この場合、例えば、第３送風装置２６０から放出される空気ＡＲ３の流量を、第２送風装置２３からの空気ＡＲ２が吸放湿部材２４０に通されている間よりも低下させてもよい。
【０１６６】
また、流路切換部２９０ｂは、上述した流路切換部２９０ａと同様に、空気の流量差を利用して切り換わる構成としてもよい。また、流路切換部２９０ａ，２９０ｂは、閉塞蓋部２９１ａ，２９１ｂを回動させる駆動部を有してもよい。この場合、図示しない制御部は、駆動部を制御して、流路切換部２９０ａ，２９０ｂを切り換える。
【０１６７】
また、図の左右方向において、第４流路部２２６ｅに対して第３流路部２２６ｄが配置されている側は、第２流路部２２６ｃに対して第１流路部２２６ｂが配置されている側と反対側であってもよい。
【０１６８】
なお、上述した各実施形態において、吸放湿部材の形状は、特に限定されない。吸放湿部材の形状は、吸放湿部材が配置される流路部の断面形状に応じて適宜決めることができる。
【０１６９】
また、冷媒生成部によって生成される冷媒は、冷却対象を冷却できるならば、特に限定されず、水以外であってもよい。また、冷媒伝送部の構成は、上述した各実施形態の構成に限られない。冷媒伝送部は、冷媒を冷却対象に伝送できるならば、特に限定されない。冷媒伝送部は、冷媒を伝送するポンプとポンプによって伝送される冷媒が通る配管とを有してもよい。また、冷媒伝送部は、例えば、重力を利用して冷却対象に冷媒を伝送してもよい。
【０１７０】
また、冷却促進部の構成は、上述した各実施形態の構成に限られない。冷却促進部は、冷却対象に伝送された冷媒による冷却対象の冷却を促進できるならば、特に限定されない。例えば、冷却促進部の冷媒保持部は、冷却対象の表面に加工等によって形成された微細な凹凸であってもよい。この場合、凹凸によって冷媒が保持される。また、冷媒保持部は、冷却対象の表面に設けられた親水性コート等であってもよい。
【０１７１】
また、上述した各実施形態における加熱部は、上述した構成に限られない。加熱部は、吸放湿部材に接触して吸放湿部材を加熱する構成であってもよい。この場合、加熱部は、吸放湿部材を通過する前の空気を加熱しなくてもよい。
【０１７２】
また、上述した各実施形態において冷却対象は、光変調ユニットとしたが、これに限られない。冷却対象は、光変調装置と、光変調ユニットと、光源装置と、光源装置から射出された光の波長を変換する波長変換素子と、光源装置から射出された光を拡散する拡散素子と、光源装置から射出された光の偏光方向を変換する偏光変換素子とのうちの少なくとも一つを含んでもよい。この構成によれば、プロジェクターの各部を上述したのと同様に、冷却することができる。
【０１７３】
また、上記実施形態において、透過型のプロジェクターに本発明を適用した場合の例について説明したが、本発明は、反射型のプロジェクターにも適用することも可能である。ここで、「透過型」とは、液晶パネル等を含む光変調装置が光を透過するタイプであることを意味する。「反射型」とは、光変調装置が光を反射するタイプであることを意味する。なお、光変調装置は、液晶パネル等に限られず、例えばマイクロミラーを用いた光変調装置であってもよい。
【０１７４】
また、上記実施形態において、３つの光変調装置を用いたプロジェクターの例を挙げたが、本発明は、１つの光変調装置のみを用いたプロジェクター、４つ以上の光変調装置を用いたプロジェクターにも適用可能である。
【０１７５】
また、上記説明した各構成は、相互に矛盾しない範囲内において、適宜組み合わせることができる。
【符号の説明】
【０１７６】
１…プロジェクター、２…光源装置、６…投射光学装置、１０…冷却装置、２０，１２０，２２０…冷媒生成部、２２…加熱部、２２ａ…加熱本体部、２３…第２送風装置、２５ｂ…放湿流路部、２７，２２７…循環経路、３０…熱交換部、４０，１４０，２４０…吸放湿部材、４１…第１層、４２…第２層、４ＢＰ，４ＧＰ，４ＲＰ…光変調装置（冷却対象）、５０…冷媒伝送部、６０…第１送風装置、２２６ａ…吸放湿流路部、２２６ｂ…第１流路部、２２６ｃ…第２流路部、２２６ｆ…第１開口、２２６ｇ…第２開口、２６０…第３送風装置、２９０ａ…流路切換部、Ｄ１…第１方向、Ｄ２…第２方向、Ｗ…冷媒
【図１】
2019117263.tif 000003
【図２】
2019117263.tif 000004
【図３】
2019117263.tif 000005
【図４】
2019117263.tif 000006
【図５】
2019117263.tif 000007
【図６】
2019117263.tif 000008
【図７】
2019117263.tif 000009
【図８】
2019117263.tif 000010
【図９】
2019117263.tif 000011
【図１０】
2019117263.tif 000012
【図１１】
2019117263.tif 000013
【図１２】
2019117263.tif 000014